(57)【要約】【課題】ユーザエージェントに半永久的スケジューリングリソースを解放させる信頼性の高い方法を開発する。【解決手段】移動通信システムにおいて、ユーザエージェント（ＵＡ）に、上りリンクおよび下りリンクの半永久的通信リソースの少なくとも１つを解放させる方法であって、ＤＣＩ形式にアレンジされた複数のＤＣＩフィールド内に下りリンク制御情報（ＤＣＩ）を含む、物理下りリンク制御チャネル（ＰＤＣＣＨ）上の制御メッセージを復号するために、前記デバイスに割当てられた半永久的スケジューリング無線一時ネットワーク識別子（ＳＰＳ−ＲＮＴＩ）を使用するステップと、前記ＤＣＩフィールドの少なくとも１つからのデータが固定ＳＰＳ解放値と同一である場合、前記上りリンクおよび下りリンクの半永久的通信リソースのうち少なくとも１つを解放するステップとを含む。【選択図】図３
2014027683.tif 000002
【特許請求の範囲】
【請求項１】
移動通信システムにおいて、ユーザエージェントに、上りリンクおよび下りリンクの半永久的な通信リソースの少なくとも１つを解放させる方法であって、前記方法は、前記ユーザエージェントにおいて、
物理下りリンク制御チャネル（ＰＤＣＣＨ）を介して下りリンク通信を受信する受信ステップと；
前記ユーザエージェントに割当てられた半永久的スケジューリング無線一時ネットワーク識別子（ＳＰＳ−ＲＮＴＩ）を使用することによって、物理下りリンク制御チャネル（ＰＤＣＣＨ）上の制御メッセージを復号する復号ステップであって、前記制御メッセージは、下りリンク制御情報形式にアレンジされた複数の下りリンク制御情報フィールド内に下りリンク制御情報の値を含むことと；
前記下りリンク制御情報フィールドの少なくとも１つからの前記下りリンク制御情報の値が固定された半永久的スケジューリング解放値と同一である場合、前記上りリンクの半永久的通信リソースと前記下りリンクの半永久的通信リソースとのうちの少なくとも１つを解放する解放ステップと
を含み、
前記下りリンク制御情報形式は、下りリンク制御情報形式１と、下りリンク制御情報形式１Ａと、下りリンク制御情報形式２と、下りリンク制御情報形式２Ａとのうちの１つである場合に、前記下りリンク制御情報フィールドの少なくとも１つは、ＨＡＲＱプロセス数フィールドと、変調および符号化方式（ＭＣＳ）フィールドと、冗長バージョンフィールドと、新規データインジケータ（ＮＤＩ）フィールドとのうちの少なくとも１つであり、
リソースブロック割当を表示するために用いるリソース表示値（ＲＩＶ）のサブセットに含まれない他のリソース表示値を選択することで、リソースブロック割当とは違う他の信号を前記制御メッセージ内に表示することを特徴とする、方法。
【請求項２】
前記下りリンク制御情報フィールドフィールドのうちの１つは、リソースブロック割当フィールドを含む、
請求項１記載の方法。
【請求項３】
前記半永久的スケジューリング解放値は、固定値に設定される、
請求項２記載の方法。
【請求項４】
前記データが、関連する固定された半永久的スケジューリング値と同一である場合に、前記解放ステップは、リソースを解放するステップを含む、
請求項１記載の方法。
【請求項５】
前記下りリンク制御情報フィールドのうちの少なくとも１つは、リソースブロック割当フィールドと、伝送電力制御（ＴＰＣ）コマンドフィールドと、巡回シフト復調基準信号（ＤＭ  ＲＳ）フィールドと、変調および符号化方式（ＭＣＳ）および冗長バージョンフィールドとのうちの１つを含む、
請求項１記載の方法。
【請求項６】
前記下りリンク制御情報形式が下りリンク制御情報形式０である場合、前記下りリンク制御情報フィールドは、伝送電力制御コマンドフィールドと、巡回シフト復調基準信号フィールドと、変調および符号化方式および冗長バージョンフィールドとのうちの１つである、
請求項５記載の方法。
【請求項７】
前記変調および符号化方式および冗長フィールド用の前記半永久的スケジューリング解放値は、１１１１１であり、
新規データインジケータ（ＮＤＩ）フィールド用の前記半永久的スケジューリング解放値は、０である、
請求項６記載の方法。
【請求項８】
前記ＨＡＲＱプロセス数フィールド用の前記半永久的スケジューリング解放値は、固定値に設定される、
請求項１記載の方法。
【請求項９】
前記下りリンク制御情報形式が１Ａである場合、前記変調および符号化方式フィールド用の前記半永久的スケジューリング解放値は、オール１を含む、
請求項１記載の方法。
【請求項１０】
前記下りリンク制御情報形式が１と１Ａのうちのいずれか一方である場合、前記冗長バージョンフィールド用の前記半永久的スケジューリング解放値は、固定値に設定される、
請求項１記載の方法。
【請求項１１】
前記半永久的スケジューリング解放値は、リソースブロック割当フィールド値を含み、
リソース割当を示すために、使用可能なリソースブロック割当フィールド値のサブセットのみが使用され、
前記半永久的スケジューリング解放値は、前記サブセット内の１つの値以外のリソースブロック割当フィールド値を含む、
請求項２記載の方法。
【請求項１２】
前記解放ステップは、全ての前記下りリンク制御情報フィールドからの前記データが固定された前記半永久的スケジューリング解放値と同一である場合に、解放するステップを含む、
請求項１記載の方法。
【請求項１３】
移動通信システムにおいて、ユーザエージェントに、上りリンクの半永久的通信リソースと下りリンクの半永久的通信リソースとのうちの少なくとも１つの非活性の妥当性を確認させる方法であって、前記方法は、前記ユーザエージェントにおいて、
物理下りリンク制御チャネル（ＰＤＣＣＨ）を介して下りリンク通信を受信するステップと；
前記ユーザエージェントに割当てられた半永久的スケジューリング無線一時ネットワーク識別子（ＳＰＳ−ＲＮＴＩ）を使用することによって、物理下りリンク制御チャネル（ＰＤＣＣＨ）上の制御メッセージを復号する復号ステップであって、前記制御メッセージは、下りリンク制御情報形式にアレンジされた複数の下りリンク制御情報フィールド内に下りリンク制御情報の値を含むことと；
少なくとも１つの前記下りリンク制御情報フィールドからの前記下りリンク制御情報の値が半永久的スケジューリング解放値と一致することを確認するステップと；
前記確認が成功した場合、前記上りリンクの半永久的通信リソースと前記下りリンクの半永久的通信リソースとのうちの少なくとも１つを解放するステップと；
前記確認が成功しなかった場合、前記受信したメッセージを、不一致巡回冗長検査（ＣＲＣ）と共に受信されたものと考慮するステップと
を含み、
前記下りリンク制御情報形式は、下りリンク制御情報形式１と、下りリンク制御情報形式１Ａと、下りリンク制御情報形式２と、下りリンク制御情報形式２Ａとのうちの１つである場合に、前記下りリンク制御情報フィールドの少なくとも１つは、ＨＡＲＱプロセス数フィールドと、変調および符号化方式（ＭＣＳ）フィールドと、冗長バージョンフィールドと、新規データインジケータ（ＮＤＩ）フィールドとのうちの少なくとも１つであり、
リソースブロック割当を表示するために用いるリソース表示値（ＲＩＶ）のサブセットに含まれない他のリソース表示値を選択することで、リソースブロック割当とは違う他の信号を前記制御メッセージ内に表示することを特徴とする、方法。
【請求項１４】
移動通信システムにおいて、ユーザエージェントに、上りリンクの半永久的通信リソースと下りリンクの半永久的通信リソースとのうちの少なくとも１つを解放させる装置であって、前記装置は、
ステップを実行するように構成されたプロセッサを含み、前記ステップは、
物理下りリンク制御チャネル（ＰＤＣＣＨ）を介して下りリンク通信を受信する受信ステップと；
前記ユーザエージェントに割当てられた半永久的スケジューリング無線一時ネットワーク識別子（ＳＰＳ−ＲＮＴＩ）を使用することによって、物理下りリンク制御チャネル（ＰＤＣＣＨ）上の制御メッセージを復号する復号ステップであって、前記制御メッセージは、下りリンク制御情報形式にアレンジされた複数の下りリンク制御情報フィールド内に下りリンク制御情報の値を含むことと；
前記下りリンク制御情報フィールドの少なくとも１つからの前記下りリンク制御情報の値が、固定された半永久的スケジューリング解放値と同一である場合、前記上りリンクの半永久的通信リソースと前記下りリンクの半永久的通信リソースとのうちの少なくとも１つを解放する解放ステップと
を含み、
前記下りリンク制御情報形式は、下りリンク制御情報形式１と、下りリンク制御情報形式１Ａと、下りリンク制御情報形式２と、下りリンク制御情報形式２Ａとのうちの１つである場合に、前記下りリンク制御情報フィールドの少なくとも１つは、ＨＡＲＱプロセス数フィールドと、変調および符号化方式（ＭＣＳ）フィールドと、冗長バージョンフィールドと、新規データインジケータ（ＮＤＩ）フィールドとのうちの少なくとも１つであり、
リソースブロック割当を表示するために用いるリソース表示値（ＲＩＶ）のサブセットに含まれない他のリソース表示値を選択することで、リソースブロック割当とは違う他の信号を前記制御メッセージ内に表示することを特徴とする、装置。
【請求項１５】
前記下りリンク制御情報フィールドのうちの１つは、リソースブロック割当フィールドを含む、
請求項１４記載の装置。
【請求項１６】
前記半永久的スケジューリング解放値は、固定値に設定される、
請求項１５記載の装置。
【請求項１７】
前記プロセッサは、前記データが関連する固定された半永久的スケジューリング値と同一である場合に、リソースを解放することによって、通信リソースを解放するステップを実行する、
請求項１４記載の装置。
【請求項１８】
前記下りリンク制御情報フィールドのうちの少なくとも１つは、リソースブロック割当フィールドと、伝送電力制御（ＴＰＣ）コマンドフィールドと、巡回シフト復調基準信号（ＤＭ  ＲＳ）フィールドと、変調および符号化方式（ＭＣＳ）および冗長バージョンフィールドとのうちの１つを含む、
請求項１４記載の装置。
【請求項１９】
前記下りリンク制御情報形式が下りリンク制御情報形式０である場合、前記下りリンク制御情報フィールドは、伝送電力制御コマンドフィールドと、巡回シフト復調基準信号フィールドと、変調および符号化方式および冗長バージョンフィールドとのうちの１つである、
請求項１８記載の装置。
【請求項２０】
前記変調および符号化方式および冗長フィールド用の前記半永久的スケジューリング解放値は、１１１１１であり、
新規データインジケータ（ＮＤＩ）フィールド用の前記半永久的スケジューリング解放値は、０である、
請求項１９記載の装置。
【請求項２１】
前記ＨＡＲＱプロセス数フィールド用の前記半永久的スケジューリング解放値は、固定値に設定される、
請求項１４記載の装置。
【請求項２２】
前記下りリンク制御情報形式が１Ａである場合、前記変調および符号化方式フィールド用の前記半永久的スケジューリング解放値は、オール１を含む、
請求項１５記載の装置。
【請求項２３】
前記下りリンク制御情報形式が１と１Ａのうちのいずれか一方である場合、前記冗長バージョンフィールド用の前記半永久的スケジューリング解放値は、固定値に設定され、
前記下りリンク制御情報形式が２と２Ａのうちのいずれか一方である場合、前記冗長バージョンフィールド用の前記半永久的スケジューリング解放値は、１１に設定された有効なトランスポートブロックを含む、
請求項１４記載の装置。
【請求項２４】
前記半永久的スケジューリング解放値は、リソースブロック割当フィールド値を含み、
リソース割当を示すために、使用可能なリソースブロック割当フィールド値のサブセットのみが使用され、
前記半永久的スケジューリング解放値は、前記サブセット内の１つの値以外のリソースブロック割当フィールド値を含む、
請求項１５記載の装置。
【請求項２５】
前記プロセッサは、全ての前記下りリンク制御情報フィールドからの前記データが固定された前記半永久的スケジューリング解放値と同一である場合に解放を行うことによって、前記解放ステップを実行する、
請求項１４記載の装置。
【請求項２６】
移動通信システムにおいて、ユーザエージェントに、上りリンクの半永久的通信リソースと下りリンクの半永久的通信リソースとのうちの少なくとも１つの非活性の妥当性を確認させる装置であって、前記装置は、前記ユーザエージェントにおいて、以下のステップを実行するためにプロセッサを使用するステップを含み、前記以下のステップは、
物理下りリンク制御チャネル（ＰＤＣＣＨ）を介して下りリンク通信を受信するステップと；
前記ユーザエージェントに割当てられた半永久的スケジューリング無線一時ネットワーク識別子（ＳＰＳ−ＲＮＴＩ）を使用することによって、物理下りリンク制御チャネル（ＰＤＣＣＨ）上の制御メッセージを復号する復号ステップであって、前記制御メッセージは、下りリンク制御情報形式にアレンジされた複数の下りリンク制御情報フィールド内に下りリンク制御情報の値を含むことと；
少なくとも１つの前記下りリンク制御情報フィールドからの前記下りリンク制御情報の値が半永久的スケジューリング解放値に一致することを確認するステップと；
前記確認が成功した場合、前記上りリンクの半永久的通信リソースと前記下りリンクの半永久的通信リソースとのうちの少なくとも１つを解放するステップと；
前記確認が成功しなかった場合、前記受信したメッセージを、不一致巡回冗長検査（ＣＲＣ）と共に受信されたものと考慮するステップと
を含み、
前記下りリンク制御情報形式は、下りリンク制御情報形式１と、下りリンク制御情報形式１Ａと、下りリンク制御情報形式２と、下りリンク制御情報形式２Ａとのうちの１つである場合に、前記下りリンク制御情報フィールドの少なくとも１つは、ＨＡＲＱプロセス数フィールドと、変調および符号化方式（ＭＣＳ）フィールドと、冗長バージョンフィールドと、新規データインジケータ（ＮＤＩ）フィールドとのうちの少なくとも１つであり、
リソースブロック割当を表示するために用いるリソース表示値（ＲＩＶ）のサブセットに含まれない他のリソース表示値を選択することで、リソースブロック割当とは違う他の信号を前記制御メッセージ内に表示することを特徴とする、装置。
【発明の詳細な説明】
【技術分野】
【０００１】
本発明は、概して無線通信デバイスに関し、より詳細には、無線通信デバイスに半永久的な上りリンク通信リソースおよび下りリンク通信リソース、もしくはその一方を解放させる方法および装置に関する。
【背景技術】
【０００２】
本明細書で用いる用語「ユーザエージェント」および「ＵＡ」とは無線デバイスを意味し、これには例えば、移動電話、パーソナル・デジタル・アシスタント、ハンドヘルド型またはノート型コンピュータ、そして電気通信機能を備えた類似のデバイスが含まれる。いくつかの実施形態では、ユーザエージェントは移動式の無線デバイスを意味してもよい。用語「ＵＡ」はまた、類似の機能を備えているが移動不能な、デスクトップコンピュータ、セットトップボックス、ネットワークノードのようなデバイスを意味することもできる。
【０００３】
従来の無線電気通信システムでは、基地局またはアクセスデバイス内の送信機器が、セルとして知られている地理的領域全体にかけて信号を伝送する。技術の発展と共に、以前は無理であったサービスを提供できるより進化した機器が導入されてきた。この進化した機器には、例えば、Ｅ−ＵＴＲＡＮ（発展型汎用地上無線アクセスネットワーク）ノードＢ（ｅＮＢ）、基地局、または、従来の無線電気通信システムにおける同等の機器よりも高度に進化したその他のシステムおよびデバイスが含まれる。本明細書ではこのような進化型または次世代型の機器を長期発展型（ＬＴＥ）機器、また、こうした機器を使用するパケットベースのネットワークを、発展型パケットシステム（ＥＰＳ）と呼ぶ。ここで用いる用語「アクセスデバイス」とは、電気通信システム内で、ユーザエージェントに他コンポーネントへのアクセスを提供できるあらゆるコンポーネント、例えば従来の基地局やＬＴＥｅＮＢ（発展型ノードＢ）を意味する。
【０００４】
発展型汎用地上無線アクセスネットワークのような移動通信システムでは、アクセスデバイスが１または複数のユーザエージェントへの無線アクセスを提供する。アクセスデバイスは、アクセスデバイスに通信中の全てのユーザエージェントにおいて上りリンクおよび下りリンクデータ伝送リソースを割当てるパケットスケジューラを備えている。スケジューラはとりわけ、使用可能なエア・インターフェースのキャパシティをユーザエージェント間で分割する機能、パケットデータ伝送を行う各ユーザエージェントに対してリソース（例えば、サブキャリア周波数およびタイミング）の使用を決定する機能、パケット割当およびシステム負荷を監視する機能を含んでいる。スケジューラは、下りリンク共有チャネル用物理層リソース（ＰＤＳＣＨ）と、上りリンク共有チャネル用物理層リソース（ＰＵＳＣＨ）データ伝送を割当て、物理下りリンク制御チャネル（ＰＤＣＣＨ）を介してユーザエージェントにスケジューリング情報を送信する。ユーザエージェントは、上りリンクおよび下りリンク伝送のタイミング、周波数、データブロックサイズ、変調、符号化について、このスケジューリング情報を参照する。
【０００５】
リソース割当をユーザエージェントに通信するために、いくつかの異なるデータ制御情報（ＤＣＩ）メッセージ形式が使用されるが、この形式にはとりわけ、上りリンクリソースを指定するＤＣＩ形式０と、下りリンクリソースを指定するＤＣＩ形式１、１Ａ、２、２Ａとが含まれる。上りリンク指定ＤＣＩ形式０はいくつかのＤＣＩフィールドを含んでおり、その各々は、割当てられた上りリンクリソースの異なるアスペクトを指定するための情報を含む。例証的なＤＣＩ形式０のＤＣＩフィールドには、伝送電力制御（ＴＰＣ）フィールド、周期シフト復調基準信号（ＤＭ−ＲＳ）フィールド、変調および符号化方式（ＭＣＳ）および冗長バージョンフィールド、新規データインジケータ（ＮＤＩ）フィールド、リソースブロック割当フィールド、ホッピングフラグ・フィールドが含まれる。下りリンク指定ＤＣＩ形式１、１Ａ、２、２ＡはそれぞれいくつかのＤＣＩフィールドを含んでおり、さらに各ＤＣＩフィールドは、割当てられた下りリンクリソースの異なるアスペクトを指定するための情報を含む。例証的なＤＣＩ形式１、１Ａ、２、２ＡのＤＣＩフィールドは、ＨＡＲＱ（ハイブリッド自動再送要求）プロセス数フィールド、変調および符号化方式（ＭＣＳ）フィールド、新規データインジケータ（ＮＤＩ）フィールド、リソースブロック割当フィールド、冗長バージョンフィールドを含む。各ＤＣＩ形式０、１、２、１Ａ、２Ａは、割当てられたリソースを指定するための追加のフィールドを含んでいる。アクセスデバイスは、リソースを、ユーザエージェントおよびアクセスデバイスの機能、１つのユーザエージェントが伝送すべきデータ量、１つのセル内の通信トラフィック量などを含むいくつかの要素の関数としてユーザエージェントに割当てるために、下りリンクＤＣＩ形式から１つを選ぶ。
【０００６】
アクセスデバイスは、データ制御情報（ＤＣＩ）形式のメッセージを生成した後に、そのメッセージに巡回冗長検査（ＣＲＣ）を生成し、ＤＣＩ形式のメッセージに添付する。次に、アクセスデバイスは、ユーザエージェントと一意に関連付けられた、セル無線ネットワーク端末識別子（Ｃ−ＲＮＴＩ）または半永久的スケジューリング無線ネットワーク端末識別子（ＳＰＳ−ＲＮＴＩ）を使用して、メッセージをユーザエージェントに伝送する前に、巡回冗長検査にスクランブルをかけることができる。ユーザエージェントは、メッセージを受信すると、このメッセージから巡回冗長検査を計算し、Ｃ−ＲＮＴＩまたはＳＰＳ−ＲＮＴＩを使用して巡回冗長検査にスクランブルをかけ、さらに、このスクランブルがかかった巡回冗長検査を使用して、メッセージが正確に受信されたかどうかを確認する。ＣＲＣチェックでメッセージがユーザエージェント向けでないと示された場合には（つまり、ユーザエージェントで導出した巡回冗長検査が、受信したメッセージに添付されている巡回冗長検査に一致しない場合には）、ユーザエージェントはそのメッセージを無視する。
【０００７】
アクセスデバイスとユーザエージェントの間で制御情報の伝送を行う必要がある場合は常に、その伝送の完了に必要なリソースを、音声またはアプリケーション情報といった他の情報を伝送するために使用することはできない。この理由のために、通信業界は、通信制御に必要な制御データの量を低減する方法を常に模索している。
【０００８】
２つの一般的なタイプの通信スケジューリングには、永久的なものと半永久的なものがある。永久的スケジューリングでは、その名が意味するとおり、スケジューリングされた期間中ずっとリソースが使用状態にあるか否かに関係なく、特定のユーザエージェントに通信リソースが事前に割当てられ、リソース解除までこの状態が続く。これは、単純な永久的スケジューリングの場合には、永久的リソースを割当てられたユーザエージェントがたとえそのリソースを使用していない時にでも、永久的にスケジューリングされたリソースを他のユーザエージェントが通信に使用することはできないということである。
【０００９】
半永久的スケジューリングでは、リソースはユーザエージェントに割当てられた後、アクセスデバイスがリソース使用の停止を決定し、ユーザエージェントにリソース使用の停止を指示するまで、継続して使用される。したがって、例えばボイス・オーバ・インターネット・プロトコル（ＶｏＩＰ）の場合、典型的な通信シーケンスは、インターリーブされた「有音状態」と「無音状態」を含んでいてよく、ここで、有音状態中にはＵＡユーザの会話に対応したデータが通信され、無音状態中には快適雑音情報以外のデータは通信されない。ユーザエージェントの不活発時には（例えば無音状態）、１つのユーザエージェントに関連して割当てられた上りリンクおよび下りリンクリソースを解放し、他のユーザエージェントリソースを割当てられるようにしてもよい。ここでは、リソースが情報を通信するべく、活発に使用されている限り、そのリソースは割当てられた状態を維持するという意味で、上りリンクおよび下りリンクリソースは永久的に割当てられている。リソースは、その使用が停止すると解放される。リソース解放後の次の有音発生時に、アクセスデバイスが、１または複数の追加のデータ制御情報（ＤＣＩ）形式メッセージをユーザエージェントに伝送し、新規の半永久的スケジューリングリソース割当を開始して、この有音をサポートする。これ以降、「半永久的スケジューリングリソース」という表現は、半永久的にスケジューリングされたリソースを意味するべく用いられる。半永久的スケジューリングリソース割当を制御するために、ＳＰＳ−ＲＮＴＩ（半永久的スケジューリング無線ネットワーク端末識別子）を使用する。
【先行技術文献】
【特許文献】
【００１０】
【特許文献１】国際公開第２００９／１３４１９６号
【発明の概要】
【発明が解決しようとする課題】
【００１１】
半永久的スケジューリングリソースのケースでは、通信業界が、半永久的スケジューリングリソースを高い信頼性で再活発化、再構成する方法を定めた。しかし残念なことに、通信業界は、ユーザエージェントに半永久的スケジューリングリソースを解放させる信頼性の高い方法を開発できていない。
【課題を解決するための手段】
【００１２】
データ制御情報（ＤＣＩ）フィールド値を半永久的スケジューリングリソース解放値として、または上りリンクリソース、下りリンクリソース、上り・下り両リンクのリソースの表示として認識するようユーザエージェントをプログラミングできる場合には、特定の半永久的スケジューリング値を複数のＤＣＩ形式メッセージフィールド内に含むことができると理解されてきた。例えば、少なくともいくつかの実施形態において、ＤＣＩ形式メッセージ内のリソースブロック割当フィールドはオールゼロに設定することができる。ここで、ユーザエージェントは、ユーザエージェント宛てのＤＣＩ形式メッセージを受信・認識した後に、リソースブロック割当ＤＣＩフィールドがオールゼロに設定されており、したがって、そのユーザエージェントに割当てられたリソースはなく、現在割当てられている上りリンクおよび下りリンクリソースを解放すべきである、と示し、判断することができる。半永久的スケジューリング解放値の受信の信頼性を高めるために、半永久的スケジューリング解放値に他のＤＣＩ形式フィールド内のデータを含めたり、半永久的スケジューリングリソースを解放すべきであると示したデータの確認を他のＤＣＩフィールドにも行うように、ユーザエージェントをプログラムすることもできる。
【００１３】
上記の説明と一致するが、少なくともいくつかの実施形態は、アクセスデバイスを含む移動通信システムにおいて、ユーザエージェントに上りリンクおよび下りリンクの半永久的通信リソースのうち少なくとも一方を解放させる方法を含み、この方法は、ユーザエージェント側で、物理下りリンク制御チャネル（ＰＤＣＣＨ）を介したアクセスデバイスからの下りリンク通信を受信するステップと、データ制御情報（ＤＣＩ）形式にアレンジされた複数のＤＣＩフィールド内に下りリンク制御情報（ＤＣＩ）を含むことができる、物理下りリンク制御チャネル（ＰＤＣＣＨ）上の制御メッセージを復号するために、このデバイスに割当てられた半永久的スケジューリング無線一時ネットワーク識別子（ＳＰＳ−ＲＮＴＩ）を使用するステップと、この複数のＤＣＩフィールドのうち少なくとも１つからのデータを、固定された半永久的スケジューリング（ＳＰＳ）解放値と比較するステップと、この少なくとも１つのＤＣＩフィールドからのデータが固定された半永久的スケジューリング解放値と同一である場合には、上りリンクおよび下りリンクの半永久的通信リソースのうち少なくとも一方を解放するステップとを含む。
【００１４】
いくつかのケースにおいて、データ制御情報（ＤＣＩ）フィールドの１つはリソースブロック割当フィールドを含み、ここで、少なくとも１つのＤＣＩフィールドからのデータを比較するステップは、リソースブロック割当フィールドからのデータを比較するステップを含んでいる。いくつかのケースでは、半永久的スケジューリング解放値は固定値に設定される。いくつかのケースにおいて、ＤＣＩフィールドの少なくとも１つからのデータを比較するステップは、複数のＤＣＩフィールドの各々からのデータを、各フィールド用の固定された半永久的スケジューリング解放値と比較するステップを含み、また、通信リソースを解放するステップは、複数のＤＣＩフィールドの各々からのデータがこれに関連した固定された半永久的スケジューリング値と同一である場合、リソースを解放するステップを含む。
【００１５】
いくつかの実施形態では、データ制御情報（ＤＣＩ）フィールドの少なくとも１つが、リソースブロック割当フィールド、伝送電力制御（ＴＰＣ）コマンドフィールド、巡回シフト復調基準信号（ＤＭ  ＲＳ）フィールド、変調および符号化方式（ＭＣＳ）および冗長バージョンフィールド、新規データインジケータ（ＮＤＩ）フィールドを少なくとも含む。いくつかのケースでは、ＤＣＩ形式がＤＣＩ形式０である場合、少なくとも１つのＤＣＩフィールドからのデータをこれと関連する半永久的スケジューリング値と比較するステップは、ＴＰＣコマンドフィールド、巡回シフト復調基準信号（ＤＭ−ＲＳ）フィールド、ＭＣＳおよび冗長バージョンフィールド、ＮＤＩフィールドの各々からのデータを比較するステップを含む。いくつかのケースにおいて、ＭＣＳおよび冗長フィールド、ＮＤＩフィールド用の半永久的スケジューリング解放値は、それぞれ１１１１１と０である。
【００１６】
いくつかの実施形態では、データ制御情報（ＤＣＩ）形式がＤＣＩ形式１、ＤＣＩ形式１Ａ、ＤＣＩ形式２、ＤＣＩ形式２Ａのうちの１つである場合、少なくとも１つのＤＣＩフィールドは、ＨＡＲＱプロセス数フィールド、変調および符号化方式（ＭＣＳ）フィールド、冗長バージョンフィールド、新規データインジケータ（ＮＤＩ）フィールドのうちの少なくとも１つである。いくつかのケースでは、ＤＣＩ形式がＤＣＩ形式１、ＤＣＩ形式１Ａ、ＤＣＩ形式２、ＤＣＩ形式２Ａのうちの１つである場合に、少なくとも１つのＤＣＩフィールドからのデータをこれと関連する半永久的スケジューリング値と比較するステップは、それぞれＨＡＲＱプロセス数フィールド、変調および符号化方式（ＭＣＳ）フィールド、冗長バージョンフィールド、新規データインジケータ（ＮＤＩ）フィールドからのデータを比較するステップを含む。いくつかのケースでは、ＨＡＲＱプロセス数フィールド用の半永久的スケジューリング解放値は固定値に設定される。
【００１７】
いくつかのケースでは、データ制御情報（ＤＣＩ）形式が１Ａである場合、変調および符号化方式（ＭＣＳ）フィールド用の半永久的スケジューリング解放値はオール１を含む。いくつかのケースでは、ＤＣＩ形式が１と１Ａのどちらか一方である場合に、冗長バージョンフィールド用の半永久的スケジューリング解放値は固定値に設定され、また、ＤＣＩ形式が２と２Ａのどちらか一方である場合に、１１に設定された有効なトランスポートブロックを含む。いくつかのケースでは、半永久的スケジューリング解放値はリソースブロック割当フィールド値を含んでおり、使用可能なリソースブロック割当フィールド値のサブセットのみが、リソース割当を示すために使用され、また、半永久的スケジューリング解放値は、サブセット内の値のうちの１つ以外のリソースブロック割当フィールド値を含む。いくつかのケースにおいて、解放ステップは、全てのＤＣＩフィールドからのデータが固定された半永久的スケジューリング解放値と同一である場合に解放を行うステップを含む。
【００１８】
別の実施形態は、アクセスデバイスを含む移動通信システムにおいて、上りリンクおよび下りリンクの半永久的通信リソースのうち少なくとも一方の非活性の妥当性をユーザエージェントに確認させる方法を含み、この方法は、ユーザエージェントにおいて、物理下りリンク制御チャネル（ＰＤＣＣＨ）を介してアクセスデバイスから下りリンク通信を受信するステップと、デバイスに割当てられた半永久的スケジューリング無線一時ネットワーク識別子（ＳＰＳ−ＲＮＴＩ）を、データ制御情報（ＤＣＩ）形式にアレンジされた複数のＤＣＩフィールド内に下りリンク制御情報（ＤＣＩ）を含んでいてよい、物理下りリンク制御チャネル（ＰＤＣＣＨ）上の制御メッセージを復号するために使用するステップと、ＤＣＩフィールドのうち少なくとも１つからのデータが半永久的スケジューリング解放値に一致することを確認するステップと、この確認が失敗した場合に、受信したメッセージは不一致巡回冗長検査と共に受信されたものとして考慮するステップとを含む。
【００１９】
さらに別の実施形態は、アクセスデバイスを含む移動通信システムにおいて、上りリンクおよび下りリンクの半永久的通信リソースのうち少なくとも１つをユーザエージェントに解放させる装置を含み、この装置は、以下のステップを実行するように構成されたプロセッサを備えており、そのステップには、物理下りリンク制御チャネル（ＰＤＣＣＨ）を介してアクセスデバイスから下りリンク通信を受信するステップと、デバイスに割当てられた半永久的スケジューリング無線一時ネットワーク識別子（ＳＰＳ−ＲＮＴＩ）を、データ制御情報（ＤＣＩ）形式にアレンジされた複数のＤＣＩフィールド内に下りリンク制御情報（ＤＣＩ）を含んでいてよい、物理下りリンク制御チャネル（ＰＤＣＣＨ）上の制御メッセージを復号するために使用するステップと、ＤＣＩフィールドのうち少なくとも１つからのデータを固定された半永久的スケジューリング（ＳＰＳ）解放値と比較するステップと、ＤＣＩフィールドのうち少なくとも１つからのデータが固定された半永久的スケジューリング解放値と同一である場合に、上りリンクおよび下りリンクの半永久的通信リソースのうち少なくとも１つを解放するステップとが含まれる。
【００２０】
いくつかのケースにおいて、データ制御情報（ＤＣＩ）フィールドのうちの１つはリソースブロック割当フィールドを含み、プロセッサは、リソースブロック割当フィールドからのデータを比較することで、ＤＣＩフィールドのうち少なくとも１つからのデータを比較するステップを実行する。いくつかのケースでは、半永久的スケジューリング解放値は固定値に設定される。いくつかのケースでは、プロセッサは、複数のＤＣＩフィールドの各々からのデータを各フィールド用の固定された半永久的スケジューリング解放値と比較することで、ＤＣＩフィールドのうち少なくとも１つからのデータを比較するステップを実行し、また、通信リソースを解放するステップは、複数のＤＣＩフィールドの各々からのデータがこれと関連する固定された半永久的スケジューリング値と同一である場合に、リソースを解放するステップを含む。
【００２１】
いくつかのケースにおいて、データ制御情報（ＤＣＩ）フィールドのうち少なくとも１つは、リソースブロック割当フィールド、伝送電力制御（ＴＰＣ）コマンドフィールド、巡回シフト復調基準信号（ＤＭ  ＲＳ）フィールド、変調および符号化方式（ＭＣＳ）および冗長バージョンフィールド、新規データインジケータフィールドを少なくとも含む。いくつかの実施形態では、ＤＣＩ形式がＤＣＩ形式０である場合に、プロセッサが、ＴＰＣコマンドフィールド、巡回シフト復調基準信号（ＤＭ−ＲＳ）フィールド、ＭＣＳおよび冗長バージョンフィールド、新規データインジケータ（ＮＤＩ）フィールドの各々からのデータを比較することによって、少なくとも１つのＤＣＩフィールドからのデータをこれと関連する半永久的スケジューリング値と比較するステップを実行する。いくつかのケースにおいて、ＭＣＳおよび冗長フィールド、ＮＤＩフィールド用の半永久的スケジューリング解放値は、それぞれ１１１１１と０である。いくつかのケースでは、ＤＣＩ形式がＤＣＩ形式１、ＤＣＩ形式１Ａ、ＤＣＩ形式２、ＤＣＩ形式２Ａのうちの１つである場合、少なくとも第２ＤＣＩフィールドは、ＨＡＲＱプロセス数フィールド、変調および符号化方式（ＭＣＳ）フィールド、冗長バージョンフィールド、新規データインジケータ（ＮＤＩ）フィールドのうちの少なくとも１つである。
【００２２】
いくつかの実施形態では、データ制御情報（ＤＣＩ）形式がＤＣＩ形式１、ＤＣＩ形式１Ａ、ＤＣＩ形式２、ＤＣＩ形式２Ａの１つである場合に、プロセッサが、ＨＡＲＱプロセス数フィールド、変調および符号化方式（ＭＣＳ）フィールド、冗長バージョンフィールド、新規データインジケータ（ＮＤＩ）フィールドの各々からのデータを比較することによって、少なくとも１つのＤＣＩフィールドからのデータをこれと関連する半永久的スケジューリング値と比較するステップを実行する。いくつかの実施形態では、ＨＡＲＱプロセス数フィールド用の半永久的スケジューリング解放値は固定値に設定される。いくつかの実施形態では、ＤＣＩ形式が１Ａの場合に、ＭＣＳフィールド用の半永久的スケジューリング解放値はオール１を含む。
【００２３】
いくつかのケースでは、データ制御情報（ＤＣＩ）形式が１と１Ａのいずれか１つである場合に、冗長バージョンフィールド用の半永久的スケジューリング解放値は固定値に設定され、ＤＣＩ形式が２と２Ａのいずれか１つである場合に、１１に設定された有効なトランスポートブロックを含む。いくつかの実施形態では、半永久的スケジューリング解放値はリソースブロック割当フィールド値を含み、使用可能なリソースブロック割当フィールド値のサブセットのみが、リソース割当を示すために使用され、また、半永久的スケジューリング解放値は、サブセット内の１つの値以外のリソースブロック割当フィールド値を含む。いくつかの実施形態では、プロセッサは、全てのＤＣＩフィールドからのデータが固定された半永久的スケジューリング解放値と同一である場合に解放を行うことによって、解放ステップを実行する。
【００２４】
さらに別の実施形態は、アクセスデバイスを含む移動通信システムにおいて、上りリンクおよび下りリンクの半永久的通信リソースのうち少なくとも１つの非活性の妥当性をユーザエージェントに確認させる装置を含み、この装置は、ユーザエージェントにおいて、プロセッサを使用して以下のステップを実行するステップを含み、すなわち、物理下りリンク制御チャネル（ＰＤＣＣＨ）を介してアクセスデバイスから下りリンク通信を受信するステップと、データ制御情報（ＤＣＩ）形式にアレンジされた複数のＤＣＩフィールド内に下りリンク制御情報（ＤＣＩ）を含んでいてよい、物理下りリンク制御チャネル（ＰＤＣＣＨ）上の制御メッセージを復号するために、デバイスに割当てられた半永久的スケジューリング無線一時ネットワーク識別子（ＳＰＳ−ＲＮＴＩ）を使用するステップと、少なくとも１つのＤＣＩフィールドからのデータが半永久的スケジューリング解放値に一致することを確認するステップと、この確認が失敗した場合に、受信したメッセージは不一致巡回冗長検査と共に受信されたものと考慮するステップとを含む。
【００２５】
いくつかの実施形態は、移動通信システムにおいて、上りリンクおよび下りリンクの半永久的通信リソースのうち少なくとも１つをユーザエージェントに解放させる方法を含み、この方法は、ユーザエージェントにおいて、物理下りリンク制御チャネル（ＰＤＣＣＨ）を介して下りリンク通信を受信するステップと、データ制御情報（ＤＣＩ）形式にアレンジされた複数のＤＣＩフィールド内に下りリンク制御情報（ＤＣＩ）を含んでいてよい、物理下りリンク制御チャネル（ＰＤＣＣＨ）上の制御メッセージを復号するために、デバイスに割当てられた半永久的スケジューリング無線一時ネットワーク識別子（ＳＰＳ−ＲＮＴＩ）を使用するステップと、少なくとも１つのＤＣＩフィールドからのデータが固定された半永久的スケジューリング解放値と同一である場合に、上りリンクおよび下りリンクの半永久的通信リソースのうち少なくとも１つを解放するステップとを含む。
【００２６】
いくつかのケースでは、データ制御情報（ＤＣＩ）フィールドのうちの１つは、リソースブロック割当フィールドを含む。いくつかのケースでは、半永久的スケジューリング解放値は固定値に設定される。いくつかのケースにおいて、通信リソースを解放するステップは、複数のＤＣＩフィールの各々からのデータがこれに関連する固定された半永久的スケジューリング値と同一である場合に、リソースを解放するステップを含む。いくつかのケースにおいて、ＤＣＩフィールドのうち少なくとも１つは、少なくともリソースブロック割当フィールド、伝送電力制御（ＴＰＣ）コマンドフィールド、巡回シフト復調基準信号（ＤＭ  ＲＳ）フィールド、変調および符号化方式（ＭＣＳ）および冗長バージョンフィールドを含む。
【００２７】
いくつかのケースでは、データ制御情報（ＤＣＩ）形式がＤＣＩ形式０である場合に、少なくとも１つのＤＣＩフィールドは、ＴＰＣコマンドフィールド、巡回シフト復調基準信号（ＤＭ−ＲＳ）フィールド、変調および符号化方式（ＭＣＳ）および冗長バージョンフィールドのうち少なくとも１つである。いくつかのケースでは、ＭＣＳおよび冗長フィールド、新規データインジケータ（ＮＤＩ）フィールド用の半永久的スケジューリング解放値は、それぞれ１１１１１と０である。いくつかのケースにおいて、ＤＣＩ形式がＤＣＩ形式１、ＤＣＩ形式１Ａ、ＤＣＩ形式２、ＤＣＩ形式２Ａのうちの１つである場合に、少なくとも１つのＤＣＩフィールドは、ＨＡＲＱプロセス数フィールド、変調および符号化方式（ＭＣＳ）フィールド、冗長バージョンフィールド、新規データインジケータ（ＮＤＩ）フィールドのうちの少なくとも１つである。いくつかのケースでは、ＨＡＲＱプロセス数フィールド用の半永久的スケジューリング解放値は固定値に設定される。
【００２８】
いくつかのケースにおいて、データ制御情報（ＤＣＩ）形式が１Ａである場合に、変調および符号化方式（ＭＣＳ）フィールド用の半永久的スケジューリング解放値はオール１を含む。いくつかのケースでは、ＤＣＩ形式が１と１Ａのいずれか１つである場合に、冗長バージョンフィールド用の半永久的スケジューリング解放値は固定値に設定される。いくつかのケースでは、半永久的スケジューリング解放値はリソースブロック割当フィールド値を含み、使用可能なリソースブロック割当フィールド値のサブセットのみがリソース割当を示すために使用され、また、半永久的スケジューリング解放値は、サブセット内の値のうちの１つ以外のリソースブロック割当フィールド値を含む。いくつかのケースでは、解放ステップは、全てのＤＣＩフィールドからのデータが固定された半永久的スケジューリング解放値と同一である場合に解放を行うステップを含む。
【００２９】
いくつかの実施形態は、移動通信システムにおいて、上りリンクおよび下りリンクの半永久的通信リソースのうち少なくとも１つの非活性の妥当性を確認するユーザエージェントであり、この方法は、ユーザエージェントにおいて、物理下りリンク制御チャネル（ＰＤＣＣＨ）を介して下りリンク通信を受信するステップと、データ制御情報（ＤＣＩ）形式にアレンジされた複数のＤＣＩフィールド内に下りリンク制御情報（ＤＣＩ）を含んでいてよい、物理下りリンク制御チャネル（ＰＤＣＣＨ）上の制御メッセージを復号するために、デバイスに割当てられた半永久的スケジューリング無線一時ネットワーク識別子（ＳＰＳ−ＲＮＴＩ）を使用するステップと、少なくとも１つのＤＣＩフィールドからのデータが半永久的スケジューリング解放値に一致することを確認するステップと、この確認が失敗した場合に、受信したメッセージは不一致巡回冗長検査と共に受信されたものと考慮するステップとを含む。
【００３０】
いくつかの実施形態は、移動通信システムにおいて、上りリンクおよび下りリンクの半永久的通信リソースのうち少なくとも１つをユーザエージェントに解放させる装置を含み、この装置は、以下のステップを実行するように構成されたプロセッサを備え、そのステップには、物理下りリンク制御チャネル（ＰＤＣＣＨ）を介して下りリンク通信を受信するステップと、データ制御情報（ＤＣＩ）形式にアレンジされた複数のＤＣＩフィールド内に下りリンク制御情報（ＤＣＩ）を含んでいてよい、物理下りリンク制御チャネル（ＰＤＣＣＨ）上の制御メッセージを復号するために、デバイスに割当てられた半永久的スケジューリング無線一時ネットワーク識別子（ＳＰＳ−ＲＮＴＩ）を使用するステップと、ＤＣＩフィールドのうち少なくとも１つからのデータが固定された半永久的スケジューリング解放値と同一である場合に、上りリンクおよび下りリンクの半永久的通信リソースのうち少なくとも１つを解放するステップとが含まれる。
【００３１】
いくつかのケースでは、データ制御情報（ＤＣＩ）フィールドのうちの１つはリソースブロック割当フィールドを含む。いくつかのケースでは、半永久的スケジューリング解放値は固定値に設定される。いくつかのケースにおいて、プロセッサは、複数のＤＣＩフィールドの各々からのデータがこれと関連する固定された半永久的スケジューリング値と同一である場合にリソース解放を行うことによって、通信リソースを解放するステップを実行する。いくつかのケースでは、ＤＣＩフィールドの少なくとも１つが、少なくともリソースブロック割当フィールド、伝送電力制御（ＴＰＣ）コマンドフィールド、巡回シフト復調基準信号（ＤＭ  ＲＳ）フィールド、変調および符号化方式（ＭＣＳ）および冗長バージョンフィールド、新規データインジケータフィールドを含む。いくつかのケースでは、ＤＣＩ形式がＤＣＩ形式０である場合、少なくとも１つのＤＣＩフィールドは、ＴＰＣコマンドフィールド、巡回シフト復調基準信号（ＤＭ−ＲＳ）フィールド、ＭＣＳおよび冗長バージョンフィールドのうち少なくとも１つである。
【００３２】
いくつかのケースでは、変調および符号化方式（ＭＣＳ）および冗長フィールド、新規データインジケータ（ＮＤＩ）フィールド用の半永久的スケジューリング解放値は、それぞれ１１１１１と０である。いくつかのケースにおいて、データ制御情報（ＤＣＩ）形式がＤＣＩ形式１、ＤＣＩ形式１Ａ、ＤＣＩ形式２、ＤＣＩ形式２Ａの１つである場合に、少なくとも第２ＤＣＩフィールドは、ＨＡＲＱプロセス数フィールド、変調および符号化方式（ＭＣＳ）フィールド、冗長バージョンフィールド、新規データインジケータ（ＮＤＩ）フィールドのうち少なくとも１つである。いくつかのケースでは、ＨＡＲＱプロセス数フィールド用の半永久的スケジューリング解放値は固定値に設定される。いくつかのケースでは、ＤＣＩ形式が１Ａの場合、ＭＣＳフィールド用の半永久的スケジューリング解放値はオール１を含む。
【００３３】
いくつかのケースにおいて、データ制御情報（ＤＣＩ）形式が１と１Ａのいずれか１つである場合に、冗長バージョンフィールド用の半永久的スケジューリング解放値は固定値に設定され、また、ＤＣＩ形式が２と２Ａのいずれか１つである場合に、１１に設定された有効なトランスポートブロックを含む。いくつかのケースでは、半永久的スケジューリング解放値はリソースブロック割当フィールド値を含み、使用可能なリソースブロック割当フィールド値のサブセットのみがリソース割当を示すために使用され、また、半永久的スケジューリング解放値は、サブセット内の値のうちの１つ以外のリソースブロック割当フィールド値を含む。いくつかのケースでは、プロセッサは、全てのＤＣＩフィールドからのデータが固定された半永久的スケジューリング解放値と同一である場合に解放を行うことによって、解放ステップを実行する。
【００３４】
さらに別の実施形態は、移動通信システムにおいて、上りリンクおよび下りリンクの半永久的通信リソースのうち少なくとも１つの非活性の妥当性をユーザエージェントに確認させる装置を含み、この装置は、ユーザエージェントにおいて、物理下りリンク制御チャネル（ＰＤＣＣＨ）を介して下りリンク通信を受信するステップを実行するためにプロセッサを使用するステップと、データ制御情報（ＤＣＩ）形式にアレンジされた複数のＤＣＩフィールド内に下りリンク制御情報（ＤＣＩ）を含んでいてよい、物理下りリンク制御チャネル（ＰＤＣＣＨ）上の制御メッセージを復号するために、デバイスに割当てられた半永久的スケジューリング無線一時ネットワーク識別子（ＳＰＳ−ＲＮＴＩ）を使用するステップと、少なくとも１つのＤＣＩフィールドからのデータが半永久的スケジューリング解放値に一致することを確認するステップと、この確認が失敗した場合に、受信したメッセージは不一致巡回冗長検査と共に受信されたものと考慮するステップとを含む。
【００３５】
そこで本開示は、前述した、およびそれに関連する結果を達成するために、以降で十分に記述している特徴を備える。以下の記述と添付の図面は、本発明の特定の例証的態様を詳細に説明するものである。しかし、これらの態様は、本開示の原理を採用できる様々な方法のほんのいくつかでしかない。本開示のこれ以外の態様、利点、新規特徴は、図面と関連付けて検討した場合、以下の本開示の詳細な記述から明白になるだろう。
【図面の簡単な説明】
【００３６】
【図１】ユーザエージェント（ＵＡ）、アクセスデバイス、サーバを含んだ無線通信システムの１つの例証。
【図２】アクセスデバイスに半永久的スケジューリング（ＳＰＳ）解放値をデータ制御情報（ＤＣＩ）形式メッセージにて生成させる方法の１つの例証。
【図３】図１のユーザエージェントがデータ制御情報（ＤＣＩ）形式のメッセージを受信し、半永久的スケジューリング（ＳＰＳ）解放値を含んでいるか否か判断し、条件に適合する場合にはリソースを解放するプロセスを示す１つの例証。
【図４】特定の半永久的スケジューリング（ＳＰＳ）解放値を採用している場合でも、図２のプロセスの一部として代用できるサブプロセス。
【図５】図３のプロセスの一部として代用できるサブプロセス。
【図６】図５と類似しているが、図３のプロセスの一部として代用できる別のサブプロセス。
【図７】図４のプロセスの一部として代用できるサブプロセス。
【図８】図３のプロセスの一部として代用できるサブプロセス。
【図９】本開示の様々な実施形態のいくつかで動作できるユーザエージェントを備える無線通信システムの１つの例証。
【図１０】本開示の様々な実施形態のいくつかで動作できるユーザエージェントの１つの例証。
【図１１】本開示の様々な実施形態のいくつかで動作できるユーザエージェント上で実現可能なソフトウェア環境の１つの例証。
【図１２】本開示の様々な実施形態のいくつかに適した汎用コンピュータシステムの１つの例証。
【発明を実施するための形態】
【００３７】
本開示の様々な態様を、添付の図面を参照しながら説明するが、全図面をとおし、同様または対応する要素は同じ符号で示されている。しかし、図面とこれに関連した詳細な記述は、請求された発明の主題を、開示された特定の形態に限定するものではないことが理解されるべきである。むしろ、本発明は、請求された発明の主題の精神と範囲内に入る全ての変更、同等物、代替物を網羅することを意図している。
【００３８】
本明細書で用いている用語「コンポーネント」、「システム」などは、コンピュータ関連のエンティティ、つまり、ハードウェア、ハードウェアとソフトウェアの組合せ、ソフトウェア、または実行中のソフトウェアのいずれをも意味するものとする。例えば、コンポーネントは、プロセッサ上で実行中のプロセス、プロセッサ、オブジェクト、実行可能ファイル、実行スレッド、プログラム、およびコンピュータ、もしくはそのいずれかであってよいが、これらに限定されるものではない。例証の方法によって、コンピュータ上で実行中のアプリケーションとコンピュータの両方がコンポーネントであってよい。１つのプロセスおよび実行スレッド内、もしくはその両方に１または複数のコンポーネントが常駐していてよく、コンポーネントは１台のコンピュータに局在していてもよく、および２台以上のコンピュータ間に分散していてもよく、もしくはその両方でもよい。
【００３９】
本明細書で用いている用語「例証的」とは、１つの例、場合、例証となることを意味する。ここで「例証的」として説明されたあらゆる態様または意匠は、必ずしも他の態様または意匠よりも好適または有利であると解釈されるものではない。
【００４０】
次に図面を参照するが、複数の図面をとおして、同様の要素は同様の参照符号に関連しており、より具体的には、図１は、図１はユーザエージェント（ＵＡ）１０、アクセスデバイス１２、サーバ１４を含む通信システムを示す。ユーザエージェント１０はプロセッサ２２、トランシーバ２０、メモリ２４、符号２６で集合的に示した入出力デバイスを含んでいる。ユーザエージェント１０は他のコンポーネントを含んでいてよく、これ以降で、例証的なより詳細なユーザエージェントを図１０、図１１に関連して説明する。メモリ２４は、ここで説明され、本開示を備えている通信機能を含んだ様々な通信機能を実施するためにプロセッサによって実行されるプログラムを記憶する。入出力デバイス２６はディスプレイ画面、マイクロホン、スピーカ、電話またはポータブルコンピュータなどに装備された入力用キーを含んでいてよい。
【００４１】
ユーザエージェント１０は、様々な上りリンクおよび下りリンク通信チャネルを介して、アクセスデバイス１２（つまり、発展型ノードＢ（ｅＮＢ））に通信する。ユーザエージェントとアクセスデバイスは多様なチャネルを使用して通信を促進するが、説明を単純にするために、物理下りリンク制御チャネル（ＰＤＣＣＨ）、物理上りリンク制御チャネル（ＰＵＣＣＨ）、物理下りリンク共有チャネル（ＰＤＳＣＨ）、物理上りリンク共有チャネル（ＰＵＳＣＨ）を含む４本のチャネルのみを例証する。
【００４２】
アクセスデバイス１２は複数の機能をホストする。これらの機能には、無線ベアラ制御、無線許可制御、接続移動性制御、上りリンクおよび下りリンク（スケジューリング）両方におけるユーザエージェントへのリソースの動的割当を含む無線リソース管理と、ユーザデータ・ストリームのＩＰヘッダ比較および暗号化と、移動性およびスケジューリングのための配信情報、測定値、測定値報告構成のスケジューリングおよび伝送とが含まれるが、これらの機能に限定されるものではない。
【００４３】
さらに図１を参照すると、本開示の少なくともいくつかの実施形態では、アクセスデバイス１２は、いくつかの異なる理由のどれについても、半永久的にスケジューリングされたまたはスケジューリングする（ＳＰＳ）通信リソースを解放するステップを取るようプログラムされる。例えばいくつかのケースでは、ユーザエージェント１０のデータバッファがアクセスデバイス１２に伝送するデータを切らしたため、ユーザエージェント１０に割当てられた通信リソースが不要となり、このリソースを他の目的のために解放することが可能になる。
【００４４】
本開示の少なくともいくつかの実施形態に一致する、アクセスデバイス１２にユーザエージェントが半永久的スケジューリングリソースを解放すべきであると認識させる何らかのイベントが生じた場合には、ユーザエージェント１０に伝送され、ユーザエージェント１０によって半永久的スケジューリングリソースを解放すべきであるという信号として認識されるメッセージまたはデータパケットを生成するようにアクセスデバイス１２をプログラムすることができる。少なくともいくつかの実施形態では、ユーザエージェントにリソースを割当てるために通常使用されるメッセージを用いて、既に割当てられている半永久的スケジューリングリソースを解放すべきであると示すことができる。例えば、少なくともいくつかの実施形態では、半永久的スケジューリング解放パケットは、データ制御情報（ＤＣＩ）形式のメッセージの形態であってよく、また、半永久的スケジューリングリソースを解放すべきであることを示すインジケーションとしてユーザエージェント１０が認識できる特定の値を、複数のＤＣＩフィールドに投入する。半永久的スケジューリング解放値は、メッセージの形成に用いるＤＣＩ形式によって異なる。
【００４５】
数種の異なるデータ制御情報（ＤＣＩ）形式が通信プロトコルにルーチン的に使用される。本開示の目的のために、重要なＤＣＩ形式は、ＤＣＩ形式０、ＤＣＩ形式１、ＤＣＩ形式１Ａ、ＤＣＩ形式２、ＤＣＩ形式２Ａを含むものとする。通常、ＤＣＩ形式０はＰＵＳＣＨのスケジューリングに使用され、ＤＣＩ形式１は１つのＰＤＳＣＨコードワードのスケジューリングに使用され、ＤＣＩ形式１Ａは１つのＰＤＳＣＨコードワードのコンパクトスケジューリングに使用され、また、ＤＣＩ形式２および２Ａは通常、空間多重化モードで構成されたユーザエージェントへのＰＤＳＣＨのスケジューリングに使用される。３ＧＰＰ  ＴＳ３６．２１２の５．３．３．１．１〜５．３．３．２．５節によれば、ＤＣＩ形式０、１、２、１Ａ、２Ａは、フィールドの中でもとりわけ、次の表１に示すフィールドを含む。
【００４６】
【表１】
2014027683.tif 000003
【００４７】
いくつかの実施形態では、半永久的スケジューリング解放値、あるいは１または複数の半永久的スケジューリング解放値（つまり、解放値を備えるデータの組合せ）は、特定のデータ制御情報（ＤＣＩ）形式について、上の表１に示すＤＣＩ形式フィールドの各々に関連したデータを含むことができる。したがって、例えば、ユーザエージェントに上りリンク半永久的スケジューリングリソース解放の信号を発信するためにＤＣＩ形式０メッセージを使用する場合、半永久的スケジューリング解放値は、ＴＰＣフィールド、復調基準信号（ＤＭ−ＲＳ）フィールド、変調および符号化方式（ＭＣＳ）および冗長バージョンフィールド、新規データインジケータ（ＮＤＩ）フィールド、ホッピングフラグ・フィールド、リソースブロック割当フィールド内のデータを含むことができる。別の実施形態では、上述したフィールドのサブセット（例えば、ＤＣＩ形式０の場合には、ＴＰＣフィールドとリソースブロック割当フィールドのみ）を、半永久的スケジューリング解放を示すために使用できると考えられる。
【００４８】
上述したように、少なくともいくつかの実施形態では、半永久的スケジューリング解放インジケーションは、ユーザエージェントに上りリンクおよび下りリンクリソースの各々を解放させる。別の実施形態では、半永久的スケジューリング解放インジケーションは、ユーザエージェントに上りリンク半永久的スケジューリングリソースまたは下りリンク半永久的スケジューリングリソースを解放させるだけであってよい。また別の実施形態では、異なるデータ制御情報（ＤＣＩ）形式フィールド値を用いて、ユーザエージェントに、上りリンク半永久的スケジューリングリソース、下りリンク半永久的スケジューリングリソース、または上りリンクおよび下りリンク半永久的スケジューリングリソースの両方を解放させられると考えられる。これ以降、この説明を簡素化する目的で、特に記載がある場合を除いて、システムは、例証的な半永久的スケジューリング解放値がユーザエージェント１０に上りリンクリソースのみを解放させるシステムとして説明される。
【００４９】
次に図２は、アクセスデバイス１２に関連したプロセッサによって実行される例証的なプロセス１００を示す。ここで、プロセス１００は本開示の少なくともいくつかの態様と一致する。また、図１を参照すると、ブロック１０２にて、アクセスデバイス１２は、ユーザエージェント１０について半永久的スケジューリングリソース解放イベントが生じたか否か判断するために、システム３０に関連した情報を監視する。ここで、解放イベントは、いくつかの異なる形式のうちいずれの形式であってもよい。例えば、１つのタイプの解放イベントは、ユーザエージェント１０がアクセスデバイス１２に伝送するデータがなくなるというイベントであってよい。ここで、いくつかのケースでは、ユーザエージェント１０は、伝送するデータが無い旨を表示したり、あるいは、アクセスデバイス１２がユーザエージェント１０がデータの伝送を停止したことを単に知得するだけであってもよい。ブロック１０４では解放イベントの発生によって半永久的スケジューリングリソースが解放され、次に制御はプロセスブロック１０６に進む。
【００５０】
プロセスブロック１０６で、アクセスデバイス１２は、半永久的スケジューリング解放値を含んだデータ制御情報（ＤＣＩ）形式メッセージを形成する。これ以降では、表２を参照しながら、ＤＣＩ形式０、ＤＣＩ形式１、ＤＣＩ形式１Ａ、ＤＣＩ形式２、ＤＣＩ形式２Ａのそれぞれについての例証的な半永久的スケジューリング解放値を例証する。既に示したように、少なくともいくつかの実施形態では、表中の６個のＤＣＩ形式０フィールドの各々は半永久的スケジューリング解放値を指定するために用いられる。同様に、６個のＤＣＩフィールドは、ＤＣＩ形式１、１Ａ、２、２Ａのそれぞれに半永久的スケジューリング解放値を指定するために用いられる。表に示すように、半永久的スケジューリング解放値を示すために用いる６個のフィールドから成るセットの内容は、どのＤＣＩ形式を用いて解放を示すかによって異なる。各々のＤＣＩ形式は、半永久的スケジューリング解放値を示す６個のＤＣＩフィールドのうちの２個として、リソースブロック割当フィールドと新規データインジケータフィールドを使用する。表に示すように、例証の実施形態の半永久的スケジューリング解放値は、使用するＤＣＩ形式に関係なく、オール「０」に設定されたリソースブロック割当フィールドと、ゼロに設定された新規データインジケータフィールドとを含む。
【００５１】
さらに以下の表２を参照すると、データ制御情報（ＤＣＩ）形式０を用いる際に半永久的スケジューリング解放値を指定するために使用される他の４個のＤＣＩフィールドは、スケジューリングされたＰＵＳＣＨフィールド用のＴＰＣコマンド、巡回シフト復調基準信号（ＤＭ−ＲＳ）フィールド、変調および符号化方式および冗長バージョンフィールド、ホッピングフラグ・フィールドを含む。例証の実施形態において、スケジューリングされたＰＵＳＣＨフィールド用のＴＰＣコマンドは「１１」に、巡回シフト復調基準信号（ＤＭ−ＲＳ）フィールドは「１１１」に、変調および符号化方式および冗長バージョンフィールドは「１１１１１」に、ホッピングフラグ・フィールドは「０」にそれぞれ設定される。
【００５２】
さらに表２を参照すると、リソースブロック割当フィールドと新規データインジケータ（ＮＤＩ）フィールドに加え、データ制御情報（ＤＣＩ）形式１または１Ａのいずれかを用いて半永久的スケジューリング解放を示す場合、半永久的スケジューリング解放値を定義するために使用するその他のフィールドには、ＨＡＲＱプロセス数フィールド、変調および符号化方式フィールドおよび冗長バージョンフィールドが含まれ、ここで、ＨＡＲＱプロセス数フィールドは「１１１」（例えば、周波数分割複信（ＦＤＤ）のケース）、または「１１１１」（例えば、時分割複信（ＴＤＤ）のケース）に設定され、変調および符号化方式フィールドは「１１１１１」に、冗長バージョンフィールドは「１１」に設定される。ＤＣＩ形式１の半永久的スケジューリング解放のケースでは、半永久的スケジューリング解放値の定義に用いられる第６ＤＣＩフィールドには、タイプ０に等しく設定されたリソース割当タイプフィールドまたはヘッダが含まれる。ＤＣＩ形式１Ａの半永久的スケジューリング解放のケースでは、半永久的スケジューリング解放値の定義に使用する第６フィールドには、０に設定された局在的なＶＲＢ割当フィールドが含まれる（ここで、「０」は分布に対する局在を示す）。
【００５３】
引き続き表２を参照すると、データ制御情報（ＤＣＩ）形式２、ＤＣＩ形式２Ａの各々の半永久的スケジューリング解放メッセージについて、半永久的スケジューリング解放値の定義に用いられる他のＤＣＩフィールドには、リソースブロック割当フィールドと新規データインジケータ（ＮＤＩ）フィールドの他にも、ＨＡＲＱプロセス数フィールド、変調および符号化方式（ＭＣＳ）フィールド、冗長バージョンフィールド、リソース割当タイプフィールドがある。ここでは、形式１、１Ａの各々のケースと同様に、ＨＡＲＱプロセス数フィールドは「１１１」（例えば、ＦＤＤのケース）または「１１１１」（例えば、ＴＤＤのケース）のいずれかに、変調および符号化方式フィールドを有効にされたトランスポートブロックは「１１１１１」に、冗長バージョンを有効にするトランスポートブロックは「１１」に、リソース割当タイプフィールドはタイプ０にそれぞれ設定される。
【００５４】
再度図２を参照すると、ブロック１０６にて、適切に形成された「データ制御情報（ＤＣＩ）」形式メッセージ内の半永久的スケジューリング解放値を例示した後に、制御はブロック１０８に進み、ここで、アクセスデバイス１２が巡回冗長検査（ＣＲＣ）を生成し、これをＤＣＩ形式メッセージに添付する。ブロック１１０で、ユーザエージェント１０に関連した半永久的スケジューリング無線ネットワーク端末識別子（ＳＰＳ−ＲＮＴＩ）を用いて、巡回冗長検査にスクランブルがかけられる。ブロック１１２で、メッセージがユーザエージェント１０に伝送される。
【００５５】
次に、アクセスデバイス１２に、半永久的スケジューリング解放を正確に受信および処理したことを示すユーザエージェント１０からのＡＣＫを監視させる肯定応答（ＡＣＫ）プロセスを、半永久的スケジューリング解放のタイプ（つまり、上りリンクまたは下りリンク）に応じて行ってもよく、または行わなくてもよい。例えば、半永久的スケジューリング解放が、半永久的に割当てられた下りリンクリソースの解放である場合、制御はブロック１１２からブロック１１４に進み、このブロック１１４では、アクセスデバイス１２が、ユーザエージェントがメッセージの受信に成功したことを示すユーザエージェント１０からのＡＣＫを監視する。ブロック１１６では、タイムアウト期間後には下りリンク半永久的スケジューリング解放への肯定応答が受信されず、制御はブロック１１２に戻り、アクセスデバイス１２がメッセージをユーザエージェント１０に再度伝送する。ブロック１１６でＡＣＫが受信されると、アクセスデバイス１２がユーザエージェント１０に半永久的スケジューリングリソースを解放させるために実行したプロセスがようやく完了する。半永久的スケジューリング解放が、半永久的に割当てられた上りリンクリソースの解放である場合には、プロセスは、ブロック１１２の後、図２中の制御破線１１５で示すように単純に終了する。
【００５６】
ここで記述する実施形態は半永久的スケジューリング上りリンク解放ＡＣＫプロセスを含まないが、少なくともいくつかの実施形態はこの特徴をサポートするものであり、その場合、ブロック１１４、１１６に関連して上述したプロセスと類似のプロセスが実行される。
【００５７】
【表２】
2014027683.tif 000004
【００５８】
次に図３は、本開示の少なくともいくつかの態様と一致する、ユーザエージェント１０によって実行されるプロセス１４０を例証している（図１も参照されたい）。プロセスブロック１４２で、ユーザエージェント１０についてデータ制御情報（ＤＣＩ）形式の半永久的スケジューリング解放値が指定され、これがメモリ２４に記憶される（同じく図１も参照されたい）。この例では、上の表２に示した値が指定され、ＵＡメモリ２４に記憶される。プロセスブロック１４４で、ユーザエージェント１０は、既に割当てられた上りリンク半永久的スケジューリングリソースを通常の方法で使用し、アクセスデバイス１２に通信する。
【００５９】
プロセスブロック１４６で、ＵＡプロセッサ２２が、アクセスデバイス１２からのメッセージについてＰＤＣＣＨを監視する。ブロック１４８でメッセージが受信されると、制御はブロック１５０に進む。ブロック１５０では、ユーザエージェント１０が、割当てられた半永久的スケジューリング無線ネットワーク端末識別子（ＳＰＳ−ＲＮＴＩ）を使用して、受信したメッセージの巡回冗長検査を計算する。ブロック１５２では、プロセッサ２２が、ＳＰＳ−ＲＮＴＩによってスクランブルをかけられた巡回冗長検査を識別し、これを使用してあらゆる伝送エラーを検出する。ブロック１５４では、伝送エラーが生じると制御がブロック１４６に戻る。ここで、ＵＡプロセッサ２２は、受信したメッセージがユーザエージェント宛てでなかったかのように動作して、この受信したメッセージを無視し、ＰＤＣＣＨ上でアクセスデバイス１２からの別のメッセージを監視する。
【００６０】
引き続き図１および図３を参照すると、ブロック１５４では、伝送エラーが生じなければ制御はブロック１５６に進み、ここで、ＵＡプロセッサ２２がデータ制御情報（ＤＣＩ）フィールドをアンパックする。ここでは、表２に一致して、メッセージがＤＣＩ形式０である場合に、プロセッサ２２がリソースブロック割当フィールド、新規データインジケータ（ＮＤＩ）フィールド、スケジューリングされたＰＵＳＣＨフィールド用のＴＰＣコマンド、復調基準信号（ＤＭ−ＲＳ）フィールド、変調および符号化方式（ＭＣＳ）および冗長バージョンフィールド、ホッピングフラグ・フィールドの各々の中のデータを認識する。同様に、受信したメッセージが他のＤＣＩ形式のうちの１つの形式である場合に、プロセッサ２２が、半永久的スケジューリング解放値の定義に使用されたＤＣＩフィールドをアンパックする。ブロック１５８で、プロセッサ２２がＤＣＩフィールドデータを半永久的スケジューリング解放値と比較する。
【００６１】
決定ブロック１６０にて、データ制御情報（ＤＣＩ）フィールドと半永久的スケジューリング解放値が一致しない場合は、プロセッサ２２が受信したメッセージを、あたかも不一致巡回冗長検査と共に受信したように（つまり、そのメッセージがユーザエージェント宛てでなかったかのように）処理し、その後、制御はブロック１４６に戻り、ここで、プロセッサ２２が再び、ＰＤＣＣＨ上のアクセスデバイスからの他のメッセージを監視する。ブロック１６０で、ＤＣＩフィールドデータと半永久的スケジューリング解放値が一致した場合には、制御は、ユーザエージェント１０が上りリンク半永久的スケジューリングリソースを解放するブロック１６２に進む。次に、半永久的スケジューリング解放が、ＡＣＫプロセスを実行するための下りリンク解放であった場合には、制御がブロック１６４に進む。ブロック１６４では、プロセッサ２２が、伝送されたメッセージの受信を通知するＡＣＫをアクセスデバイス１２に送る。半永久的スケジューリング解放が上りリンク解放であった場合には、ＡＣＫプロセスは実行されず、プロセスは制御破線１６１で示すとおりに終了する。ここで記述の実施形態は半永久的スケジューリング上りリンク解放ＡＣＫプロセスを含まないが、少なくともいくつかの実施形態はこの特徴をサポートすると考えられ、この場合、ブロック１６４に関連して上述したプロセスと類似のプロセスが実行される。
【００６２】
次に図４は、図２に示したプロセスの一部として代用できるサブプロセス１２０を示す。図４のサブプロセス１２０は、表２に示した例証的な半永久的スケジューリング解放値に一致している。さらに図１および図２も参照すると、決定ブロック１０４の後に、半永久的スケジューリングリソース解放イベントが発生した場合、制御はブロック１０４からブロック１２２に進むことができる。ブロック１２２にて、アクセスデバイスプロセッサは、データ制御情報（ＤＣＩ）形式が形式０であるか否か決定する。ブロック１２６にて、アクセスデバイスプロセッサは、ＤＣＩ形式が形式１であるか否か決定する。ブロック１３０にて、アクセスデバイスプロセッサは、形式２、２Ａのどちらか一方であるか否か決定する。
【００６３】
データ制御情報（ＤＣＩ）形式が形式０の場合、制御は、表２に示すＤＣＩ形式０に半永久的スケジューリング解放値を定義するための６個のＤＣＩフィールドに、表２に示すようにデータ投入を行うブロック１２４に進む。ブロック１２４の後、制御は図２のブロック１０８に戻り、上述のプロセスが繰り返される。
【００６４】
半永久的スケジューリング解放を示すために用いるデータ制御情報（ＤＣＩ）形式が形式１である場合、制御は、ブロック１２８に進む。ブロック１２８では、表２に示した、形式１メッセージに半永久的スケジューリング解放値を定義するために用いる６個のフィールドに、表２に示すとおりにデータ投入が行われ、その後、制御は図２のブロック１０８に進む。
【００６５】
半永久的スケジューリング解放を示すために用いるデータ制御情報（ＤＣＩ）形式が形式１Ａである場合、制御はブロック１３２に進み、ここで、表２に示した半永久的スケジューリング解放値の定義に用いる６個のフィールドに、表示のとおりにデータが投入され、その後、制御は図２のブロック１０８に進む。
【００６６】
半永久的スケジューリング解放を示すために用いるデータ制御情報（ＤＣＩ）形式が形式２または２Ａである場合、制御はブロック１３４に進み、ここで、ＤＣＩフィールドに表２の形式２／２Ａに示すとおりにデータを投入し、その後、制御は図２のブロック１０８に進む。
【００６７】
次に図５は、図３のプロセスの一部として代用でき、表２のデータに一致するサブプロセス１６０を示す。さらに図１および図３を参照すると、ブロック１５６でデータ制御情報（ＤＣＩ）フィールドがアンパックされた後に、制御は、図５のブロック１６２に進むことができる。ブロック１６２、１７６、１７８、１８０で、ＵＡプロセッサ２２は受信したメッセージのＤＣＩ形式を決定する。受信したメッセージがＤＣＩ形式０である場合、制御は、ブロック１６４に進み、ここで、プロセッサ２２は、ＤＣＩ形式のメッセージ内の値を上の表２のＤＣＩ形式０のデータと比較する。表２の、ＤＣＩ形式０についての全ての条件が一致した場合、制御は、図３のブロック１６２に進み、ここで、プロセッサ２２は、現在ユーザエージェント１０に割当てられている上りリンク半永久的スケジューリングリソースを解放する。表２の、ＤＣＩ形式０についての１または複数の条件が一致しなかった場合、制御は、図３のブロック１４６に戻り、ここで、ユーザエージェント１０は、別のメッセージについてＰＤＣＣＨを監視する。
【００６８】
受信メッセージがデータ制御情報（ＤＣＩ）形式１である場合、制御は、ブロック１６６に進み、ここで、プロセッサ２２は、ＤＣＩ形式のメッセージ内の値を上の表２のＤＣＩ形式１のデータと比較する。表２の、ＤＣＩ形式１についての全ての条件が一致した場合、制御は、図３のブロック１６２に進み、ここで、プロセッサ２２は、現在ユーザエージェント１０に割当てられている上りリンク半永久的スケジューリングリソースを解放する。表２の、ＤＣＩ形式１についての１または複数の条件が一致しなかった場合、制御は、図３のブロック１４６に戻り、ここで、ユーザエージェント１０は、別のメッセージについてＰＤＣＣＨを監視する。
【００６９】
受信メッセージがデータ制御情報（ＤＣＩ）形式１Ａである場合、制御は、ブロック１６８に進み、ここで、プロセッサ２２は、ＤＣＩ形式のメッセージ内の値を上の表２のＤＣＩ形式１Ａのデータと比較する。表２のＤＣＩ形式１Ａについての全ての条件が一致した場合、制御は、図３のブロック１６２に進み、ここで、プロセッサ２２は、現在ユーザエージェント１０に割当てられている上りリンク半永久的スケジューリングリソースを解放する。表２のＤＣＩ形式１Ａについての１または複数の条件が一致しなかった場合、制御は、図３のブロック１４６に戻り、ここで、ユーザエージェント１０は、別のメッセージについてＰＤＣＣＨを監視する。
【００７０】
受信メッセージがデータ制御情報（ＤＣＩ）形式２または２Ａである場合、制御は、ブロック１７０に進み、ここで、プロセッサ２２は、ＤＣＩ形式のメッセージ内の値を上の表２のＤＣＩ形式２または２Ａのデータと比較する。表２のＤＣＩ形式２または２Ａについての全ての条件が一致した場合、制御は、図３のブロック１６２に進み、ここで、プロセッサ２２は、現在ユーザエージェント１０に割当てられている上りリンク半永久的スケジューリングリソースを解放する。表２のＤＣＩ形式２または２Ａについての１または複数の条件が一致しなかった場合、制御は、図３のブロック１４６に戻り、ここで、ユーザエージェント１０は、別のメッセージについてＰＤＣＣＨを監視する。
【００７１】
したがって、本開示では、ユーザエージェントは、ユーザエージェントに関連した半永久的スケジューリング無線ネットワーク端末識別子（ＳＰＳ−ＲＮＴＩ）によって巡回冗長検査にスクランブルをかけるために受信したデータ制御情報（ＤＣＩ）形式０、１、１Ａ、２、２Ａの妥当性を確認し、ここで、上の表２に示す使用される各ＤＣＩ形式についてのその他全ての条件が一致することを確認することによって、リソースブロック割当フィールドがオールゼロに設定されることが理解されるべきである。表２の条件が完全には一致しなかった場合、ユーザエージェントは、受信したＤＣＩ形式が、不一致巡回冗長検査と共に受信されたものと判断する。
【００７２】
表２、図４および図５に関して上述した実施形態は少なくとも６個のデータ制御情報（ＤＣＩ）形式フィールドを用いて半永久的スケジューリング解放値を定義するが、これ以外の下位値を採用しても類似の機能を達成できることが確認されている。例えば、いくつかの実施形態では、リソースブロック割当フィールドと新規データインジケータ（ＮＤＩ）フィールドのみを使用して、半永久的スケジューリング解放値を定義することができる。例えば、少なくとも１つの実施形態では、ＤＣＩ形式０、１、１Ａ、２、２Ａのいずれの半永久的スケジューリング解放値にも、表２に示すリソースブロック割当フィールドおよびＮＤＩフィールドのためのデータを含むことができる。このケースでは、再び図４を参照すると、使用するＤＣＩ形式に関係なく、半永久的スケジューリング解放メッセージを形成する際に、ブロック１２４での最初の２個のＤＣＩ形式の要求のみがアクセスデバイス１２によって設定される。
【００７３】
次に図６は、図３のプロセスの一部として代用できるサブプロセス２００を示す。ここで、半永久的スケジューリング解放値は、データ制御情報（ＤＣＩ）形式のメッセージのリソースブロック割当フィールドおよび新規データインジケータ（ＮＤＩ）フィールドに関連したデータのみを含む。さらに図１および図３も参照すると、ブロック１５６でＤＣＩフィールドがアンパックされた後に、制御は、図６のブロック２０２に進み、ここで、プロセッサ２２は、ＤＣＩリソースブロック割当フィールドがオールゼロに設定されているかどうか判断する。ブロック２０２の条件が一致しなかった場合は、制御は、図３のブロック１４６に移動する。ブロック２０２の条件が一致した場合は、制御は、ブロック２０４に進み、ここで、プロセッサ２２は、新規データインジケータフィールドがゼロ値を含んでいるか否か判断する。ブロック２０４の条件が一致しない場合は、制御は図３のブロック１４６に移動する。ブロック２０４の条件が一致した場合、このケースでは、この実施形態で要求される２つの条件が一致したので、制御は、ＵＡプロセッサ２２が半永久的スケジューリングリソースを解放するブロック１６２に進む。
【００７４】
上述の実施形態では、リソース割当フィールドは常にオールゼロに設定される。
データ制御情報（ＤＣＩ）形式１、ＤＣＩ形式２、ＤＣＩ形式２Ａのケースでは、これは、リソースブロック割当フィールドについてビットマップがオールゼロに設定され、ヌルリソースブロック割当を示すことを意味する。しかし、ＤＣＩ形式０およびＤＣＩ形式１Ａのメッセージのケースでは、３ＧＰＰ  ＴＳ３６．２１３の７．１．６．３節および８．１節で指定されているとおり、リソースブロック割当はリソース表示値（ＲＩＶ）によって表示される。ＲＩＶがゼロである場合、前述の３ＧＰＰ  ＴＳ３６．２１３の複数の節における、ＲＩＶの定義に使用される数式に従って、１つのリソースブロックが上りリンク帯域幅の下方縁に割当てられる。
【００７５】
別の実施形態では、アクセスデバイス１２がリソースブロック割当を表示するために使用できないＲＩＶ数または値を使用することによって、ヌルリソースブロック割当を、データ制御情報（ＤＣＩ）形式０または形式１Ａのメッセージ内に表示することができると考えられる。例えば、技術上周知であるように、ＤＣＩ形式０または１Ａメッセージ内の所与の様々なシステムパラメータを指定できる最大ＲＩＶ値がある。最大ＲＩＶ値が２０である場合、リソースブロック割当値は、最大ＲＩＶ値を示すために少なくとも５ビットを含んでいる必要がある。ここでは、２０を超える任意のＲＩＶ値を使用して正規のＲＩＶ値を示すことはなく、したがって、２０を超えるＲＩＶ値（例えば２１、２２、２３、．．．３１）を示すために５ビットのリソースブロック割当値を使用する場合には、その値を、ヌルリソースブロック割当を表示するために使用でき、また、高ＲＩＶ値をヌルリソースブロック割当として認識するようＵＡプロセッサ２２をプログラムできる。したがって、使用可能なＲＩＶ値のサブセットが存在するが、割当を示すために使用されるのはこうした各々のＲＩＶ値のサブセットのみである。ここでは、割当を示すために用いるサブセットに含まれないＲＩＶ値を選択することで、半永久的スケジューリング解放のような他の信号を表示することが可能である。
【００７６】
次に図７は、図４のプロセスの一部として代用できるサブプロセス２１０を示す。ここで、データ制御情報（ＤＣＩ）形式０、１Ａのメッセージの各々について、ＲＩＶ値が２ｎ−１に等しく設定され、ここで、ｎはリソース割当フィールドに割当てられたビット数である。このケースでは、リソースブロック割当フィールドはオールゼロに設定されず、２ｎ−１を表すオール「１」に設定される。したがって、さらに図４を参照すると、ブロック１２２での条件が一致した場合、制御は、図７のブロック２１２に進み、ここで、ＤＣＩ形式０のメッセージが例示され、また、ＲＩＶ値が、上の表２に示すように、ＤＣＩ形式０のフィールド用の他のデータと共に、リソースブロック割当フィールドにかけて２ｎ−１に等しく設定される。同様に、ブロック１３０の条件が一致した場合、制御は、図７のブロック２１４に進む。ブロック２１４では、ＤＣＩ形式１Ａのメッセージが例示され、ＲＩＶ値は、リソースブロック割当フィールドにかけて、上の表２に示すように、ＤＣＩ形式１Ａのフィールド用の他のデータと共に、２ｎ−１に等しく設定される。例えば、ｎが５である場合、ブロック２１２、２１４内の条件の各々は、ＲＩＶ値を３１に設定する。ブロック２１２、２１４の後、制御は、図２のブロック１０８に移動する。
【００７７】
次に図８は、図５に示すプロセスの一部として代用できるサブプロセス２２０を示す。サブプロセス２２０は、図７のサブプロセスに一致する。さらに図１および図５も参照すると、ブロック１６２の条件が一致した場合（つまり、メッセージがデータ制御情報（ＤＣＩ）形式０である場合）、制御は、図８のブロック２２２に進み、ここで、プロセッサ２２は、表２でＤＣＩ形式０について指定されたリソースブロック割当フィールド以外のフィールドのＤＣＩ値を表２の値と比較し、さらに、リソースブロック割当フィールドについて、ＲＩＶが２ｎ−１に等しく設定されているかどうかを調べる。このケースでは、リソースブロック割当フィールドはオール「１」である。ブロック２２２の条件が一致した場合、制御は、図３のブロック１６２に戻り、ここで上りリンク半永久的スケジューリングリソースは、解放される。再びブロック２２２を参照すると、ブロック２２２の条件が一致しなかった場合、制御は、図３のブロック１４６に移動し、上述の手順を継続する。
【００７８】
再び図５を参照すると、ブロック１７８の条件が一致した場合、制御は、図８のブロック２２４に進む。ブロック２２４で、プロセッサ２２は、表２で指定されたリソースブロック割当フィールド以外のフィールドのデータ制御情報（ＤＣＩ）値を、表２のＤＣＩ形式１Ａについての値と比較し、さらに、リソースブロック割当フィールドについてＲＩＶが２ｎ−１に等しく設定されているかどうかを調べる。このケースでは、リソースブロック割当フィールドはオール「１」である。ブロック２２４の条件が一致した場合、制御は、図３のブロック１６２に戻り、上りリンク半永久的スケジューリングリソースが解放される。再びブロック２２４を参照すると、ブロック２２４の条件が一致しなかった場合には、制御は、図３のブロック１４６に移動し、上述の手順を継続する。
【００７９】
リソースブロック割当フィールドの定義に通常使用されないもう１つの例証的なＲＩＶ値として、ＲＩＶ値が、ＴＳ３６．２１３に準じた現在のＲＩＶ定義に１を加算した値として再定義され、その結果、リソースブロック割当が０であることを意味するＲＩＶ０値を得るというものを挙げる。この実施形態は、図７、図８に示したサブプロセスを若干変更するだけで実現できる。例えば、ブロック２１２、２１４で、現在のブロック２１２、２１４に記述されているＲＩＶ数式を使用するのではなく、ＲＩＶ値を単純に現在ＲＩＶ定義に１を加算したものとして再定義することが可能である。図８で、ブロック２２２、２２４内のＲＩＶ条件を用いる代わりに、ＵＡプロセッサ２２は、データ制御情報（ＤＣＩ）リソースブロック割当フィールドＲＩＶが「０」値に設定されているかどうか判断することができる。
【００８０】
図９は、ユーザエージェント１０の例証的な実施形態を含んだ無線通信システムを示す。ユーザエージェント１０は本開示の複数の態様を実現するべく動作できるが、本開示は、これらの実現に限定されるべきではない。ユーザエージェント１０を移動電話として例証しているが、ユーザエージェント１０は無線ハンドセット、ポケットベル、パーソナル・デジタル・アシスタント（ＰＤＡ）、ポータブルコンピュータ、タブレットコンピュータ、ノート型コンピュータを含む、様々な形態であってよい。多くの適切なデバイスは、これらの機能の一部または全てを併せ持っている。本開示のいくつかの実施形態では、ユーザエージェント１０は、ポータブルコンピュータ、ノート型またはタブレットコンピュータのような汎用計算デバイスではなく、むしろ、移動電話、無線ハンドセット、ポケットベル、ＰＤＡ、あるいは車両に実装された電気通信デバイスのような、特殊用途通信デバイスである。ユーザエージェント１０はさらに、上述と類似の機能を備えるが、デスクトップコンピュータ、セットトップボックス、ネットワークノードのように移動不能なデバイスであったり、デバイスを含んでいたり、デバイスに含まれていてよい。ユーザエージェント１０は、ゲーム、在庫管理、ジョブ管理、およびタスク管理機能、もしくはそのいずれかの特殊なアクティビティをサポートすることができる。
【００８１】
ユーザエージェント１０は、ディスプレイ７０２を含む。ユーザエージェント１０はさらに、全体を参照符号７０４で示すユーザ入力用の、タッチ感応面、キーボードまたはその他の入力用キーも備える。キーボードは、ＱＷＥＲＴＹ、Ｄｖｏｒａｋ、ＡＺＥＲＴＹ、および逐次タイプのようなフルまたは簡易型の英数字キーボード、または、電話機キーパッドにアルファベット文字を関連付けた従来型の数字キーパッドであってよい。入力用キーは、トラックホイール、イクジットまたはエスケープキー、トラックボール、および、内方に押下することでさらなる入力機能を提供するその他のナビまたは機能キーを含むことができる。ユーザエージェント１０は、ユーザが選択できるオプション、ユーザが作動させられる制御、およびユーザが命令できるカーソルその他のインジケータ、あるいはそのいずれかを提示してもよい。
【００８２】
ユーザエージェント１０はさらに、ダイヤルする番号や、ユーザエージェント１０の動作を構成するための様々なパラメータ値を含む、ユーザによって入力されるデータを受入れることができる。ユーザエージェント１０はまた、ユーザの命令に応答して、１または複数のソフトウェアまたはファームウェアアプリケーションを実行できる。これらのアプリケーションは、ユーザの対話操作に応じて様々なカスタム機能を実行するようユーザエージェント１０を構成することができる。これに加え、ユーザエージェント１０は、例えば無線基地局、無線アクセスポイント、ピアユーザエージェント１０から、オーバ・ジ・エアにてプログラムを行うおよび構成を行う、もしくはその両方を行うことができる。
【００８３】
ユーザエージェント１０が実行できる様々なアプリケーションの中には、ディスプレイ７０２にウェブページを表示させるウェブブラウザがある。ウェブページは、無線ネットワーク・アクセスノード、セルタワー、ピアユーザエージェント１０、またはその他のあらゆる無線通信ネットワークまたはシステム７００によって、無線通信を介して取得できる。ネットワーク７００は、インターネットのような有線ネットワーク７０８に接続している。ユーザエージェント１０は、無線リンクおよび有線ネットワークを介して、サーバ７１０のような様々なサーバ上の情報にアクセスする。サーバ７１０は、ディスプレイ７０２上に表示させるコンテンツを提供する。あるいは、ユーザエージェント１０が、中継タイプまたはホップタイプの接続において、媒介手段として機能するピアユーザエージェント１０を介してネットワーク７００にアクセスする。
【００８４】
図１０は、ユーザエージェント１０のブロック線図を示す。ユーザエージェント１０の様々な周知のコンポーネントを示しているが、一実施形態では、列挙したコンポーネントおよび図示にない追加のコンポーネント、もしくはその両方のサブセットをユーザエージェント１０に含むことができる。ユーザエージェント１０は、デジタル信号プロセッサ（ＤＳＰ）８０２とメモリ８０４を含む。図示のように、ユーザエージェント１０はさらに、アンテナおよびフロントエンドユニット８０６、無線周波数（ＲＦ）トランシーバ８０８、アナログベースバンド処理ユニット８１０、マイクロホン８１２、イヤーピーススピーカ８１４、ヘッドセットポート８１６、入出力インターフェース８１８、リムーバブルメモリカード８２０、ユニバーサル・シリアルバス（ＵＳＢ）ポート８２２、近距離無線通信サブシステム８２４、警告８２６、キーパッド８２８、タッチ感応面８３０を含む液晶ディスプレイ（ＬＣＤ）、ＬＣＤ制御装置８３２、電荷結合素子（ＣＣＤ）カメラ８３４、カメラ制御装置８３６、全地球測位システム（ＧＰＳ）センサ８３８を含んでいてよい。一実施形態では、ユーザエージェント１０は、別の種類の、タッチ感応画面を提供しないディスプレイを含んでいてよい。一実施形態では、ＤＳＰ８０２は、入出力インターフェース８１８を通過せずにメモリ８０４に直接通信することができる。
【００８５】
ＤＳＰ８０２、または、制御装置あるいは中央処理ユニットの何らかの他の形態は、メモリ８０４に記憶された、もしくはＤＳＰ８０２自体に内蔵されたメモリに記憶された組込ソフトウェアまたはファームウェアに従って、ユーザエージェント１０の様々なコンポーネントを制御するように動作する。組込ソフトウェアまたはファームウェアに加えて、ＤＳＰ８０２は、メモリ８０４に記憶させた他のアプリケーションや、リムーバブルメモリカード８２０などのポータブルデータ記憶媒体のような情報キャリア媒体上で、または有線・無線ネットワーク通信を介して利用可能なアプリケーションを実行することが可能である。アプリケーションソフトウェアは、所望の機能を提供するようにＤＳＰ８０２を構成する、コンパイルされたマシン読み出し可能な複数の命令を備えていてよく、あるいは、インタプリタやコンパイラがＤＳＰ８０２を間接的に構成するために処理する高レベルのソフトウェア命令であってよい。
【００８６】
アンテナおよびフロントエンドユニット８０６は、無線信号と電気信号の間で変換を行い、ユーザエージェント１０がセルラーネットワークから、または別の何らかの利用可能な無線通信ネットワークやピアユーザエージェント１０から情報の送受信を行うことができるようにするために設けられる。一実施形態では、アンテナおよびフロントエンドユニット８０６は、ビーム形成およびマルチ入出力（ＭＩＭＯ）動作、もしくはその両方をサポートする複数のアンテナを含んでいてよい。当業者に周知であるように、ＭＩＭＯ動作は、困難なチャネル条件を克服するために、およびチャネルスループットを増大させるために、もしくはその両方のために使用可能な空間ダイバーシチを提供することができる。アンテナおよびフロントエンドユニット８０６は、アンテナ調整およびインピーダンス整合コンポーネント、もしくはその両方、ＲＦ電力増幅器および低雑音増幅器、もしくはその両方を含んでいてよい。
【００８７】
ＲＦトランシーバ８０８は、周波数シフト、受信したＲＦ信号のベースバンドへの変換、ベースバンド伝送信号のＲＦへの変換を提供する。一部の記述において、無線トランシーバまたはＲＦトランシーバは、これ以外の信号処理機能、例えば変調／復調、符号化／復号、インターリーブ／デインターリーブ、スプレッド／デスプレッド、逆高速フーリエ変換（ＩＦＦＴ）／高速フーリエ変換（ＦＦＴ）、巡回プレフィックス付加／除去、その他の信号処理機能を含むと理解できる。明瞭化の目的で、ここでは、この信号処理の記述をＲＦおよび無線ステージ、もしくはその一方から切り離し、この信号処理をアナログベースバンド処理ユニット８１０およびＤＳＰ８０２、もしくはその一方、あるいは別の中央処理ユニットに概念的に割当てている。いくつかの実施形態では、ＲＦトランシーバ８０８、アンテナおよびフロントエンド８０６の各部、アナログベースバンド処理ユニット８１０を、１または複数の処理ユニット、およびアプリケーション特化型集積回路（ＡＳＩＣ）、もしくはその一方において組合せることができる。
【００８８】
アナログベースバンド処理ユニット８１０は、例えば、マイクロホン８１２およびヘッドセット８１６からの入力のアナログ処理や、イヤーピース８１４およびヘッドセット８１６への出力といった、入出力の様々なアナログ処理を提供する。そのために、アナログベースバンド処理ユニット８１０は、ユーザエージェント１０を携帯電話として使用できるようにする内蔵マイクロホン８１２とイヤーピーススピーカ８１４に接続するためのポートを設けていてよい。アナログベースバンド処理ユニット８１０はさらに、ヘッドセット、その他のハンズフリー・マイクロホンやスピーカ構成部に接続するためのポートを含んでいてよい。アナログベースバンド処理ユニット８１０は、１信号方向へのデジタル／アナログ変換と、これと反対方向へのアナログ／デジタル変換とを提供することができる。いくつかの実施形態では、デジタル処理コンポーネント、例えばＤＳＰ８０２またはその他の中央処理ユニットが、アナログベースバンド処理ユニット８１０の少なくともいくつかの機能を提供する。
【００８９】
ＤＳＰ８０２は、無線通信と関連した、変調／復調、符号化／復号、インターリーブ／デインターリーブ、スプレッド／デスプレッド、逆高速フーリエ変換（ＩＦＦＴ）／高速フーリエ変換（ＦＦＴ）、巡回プレフィックス付加／除去、その他の信号処理機能を実行することができる。一実施形態では、例えば符号分割多重化アクセス（ＣＤＭＡ）技術の適用において、ＤＳＰ８０２が、送信機機能について変調、符号化、インターリーブ、スプレッドを実行し、受信機機能についてデスプレッド、デインターリーブ、復号、復調を実行する。別の実施形態では、例えば直交周波数分割多重化アクセス（ＯＦＤＭＡ）技術の適用において、ＤＳＰ８０２は、送信機機能について変調、符号化、インターリーブ、逆高速フーリエ変換、巡回プレフィックス付加を実行し、受信機機能について巡回プレフィックス除去、高速フーリエ変換、デインターリーブ、復号、復調を実行する。別の無線技術の適用において、ＤＳＰ８０２は、さらに別の信号処理機能、およびそれらの組合せを実行することができる。
【００９０】
ＤＳＰ８０２は、アナログベースバンド処理ユニット８１０を介して無線ネットワークに通信する。いくつかの実施形態では、通信は、ユーザがインターネット上のコンテンツにアクセスし、電子メールやテキストメッセージを送受信できるようにするインターネット接続を提供する。入出力インターフェース８１８は、ＤＳＰ８０２、様々なメモリ、インターフェースを相互接続する。メモリ８０４とリムーバブルメモリカード８２０は、ＤＳＰ８０２の動作を構成するためのソフトウェアおよびデータを提供する。インターフェースの中でも、とりわけＵＳＢインターフェース８２２、近距離無線通信サブシステム８２４であってよい。ＵＳＢインターフェース８２２はユーザエージェント１０を充電するために使用でき、さらに、パーソナルコンピュータまたはその他のコンピュータシステムと情報を交換するために、ユーザエージェント１０を周辺デバイスとして機能させることもできる。近距離無線通信サブシステム８２４は、ユーザエージェント１０に他の近隣の移動式デバイスおよび無線基地局、もしくはその両方と無線通信を行えるようにする、赤外線ポート、Ｂｌｕｅｔｏｏｔｈ（登録商標）インターフェース、ＩＥＥＥ８０２．１１準拠の無線インターフェース、またはその他のあらゆる近距離無線通信サブシステムを含んでいてよい。
【００９１】
入出力インターフェース８１８はさらに、ＤＳＰ８０２を警告８２６と接続することで、誘発された際に、ユーザエージェント１０に、例えばベル音、メロディ再生、バイブレーションによってユーザへの通知を行わせることができる。警告８２６は、通話着信、新規テキストメッセージ、予定リマインダのような様々なイベントを、静かなバイブレーションまたは、特定の発信者について事前に指定しておいた特定のメロディの再生によってユーザに警告するための機構として機能する。
【００９２】
キーパッド８２８は、インターフェース８１８を介してＤＳＰ８０２に接続することで、ユーザがユーザエージェント１０に対して選択や情報入力を行ったり、そうでなければユーザエージェント１０への入力供給を行う１つの機構をユーザに提供する。キーボード８２８は、ＱＷＥＲＴＹ、Ｄｖｏｒａｋ、ＡＺＥＲＴＹ、および逐次タイプのようなフルまたは簡易型の英数字キーボード、または、電話機キーパッドにアルファベット文字を関連付けた従来型の数字キーパッドであってよい。入力用キーは、トラックホイール、イクジットまたはエスケープキー、トラックボール、および、内方に押下することでさらなる入力機能を提供するその他のナビまたは機能キーを含むことができる。別の入力機構は、タッチ画面機能を備え、またユーザにテキストおよびグラフィック、もしくはその両方を表示することができるＬＣＤ８３０であってよい。ＬＣＤ制御装置８３２はＤＳＰ８０２をＬＣＤ８３０に接続する。
【００９３】
ＣＣＤカメラ８３４が設置されている場合には、ユーザエージェント１０はデジタル写真を撮影することができる。ＤＳＰ８０２は、カメラ制御装置８３６を介してＣＣＤカメラ８３４に通信する。別の実施形態では、電荷結合素子カメラ以外の技術に従って動作するカメラを採用することも可能である。ＧＰＳセンサ８３８は、ユーザエージェント１０が位置を判断できるよう、全地球測位システム信号を復号するためにＤＳＰ８０２に接続している。その他の様々な周辺機器を設け、例えば無線およびテレビ受信などの追加の機能を提供できるように含むことができる。
【００９４】
図１１は、ＤＳＰ８０２によって実現されるソフトウェア環境９０２を示す。ＤＳＰ８０２は、他のソフトウェアを動作させるプラットフォームを提供するオペレーティングシステム・ドライバ９０４を実行する。オペレーティングシステム・ドライバ９０４は、アプリケーションソフトウェアへのアクセスを可能にする標準インターフェースを備えた、ＵＡハードウェア用のドライバを提供する。オペレーティングシステム・ドライバ９０４は、ユーザエージェント１０上で実行中のアプリケーション間で制御を転送する、アプリケーション管理サービス（「ＡＭＳ」）９０６を含む。さらに図１１には、ウェブブラウザ・アプリケーション９０８、メディアプレーヤ・アプリケーション９１０、ＪＡＶＡ（登録商標）アプレット９１２が示されている。ウェブブラウザ・アプリケーション９０８は、ウェブブラウザとして動作するようにユーザエージェント１０を構成することで、ユーザがフォームに情報を入力し、リンクを選択して、ウェブページを検索および閲覧できるようにする。メディアプレーヤ・アプリケーション９１０は、オーディオまたはオーディオ・ビジュアル媒体の検索および再生ができるように、ユーザエージェント１０を構成する。ＪＡＶＡ（登録商標）アプレット９１２は、ゲーム、ユーティリティ、その他の機能を提供できるように、ユーザエージェント１０を構成する。コンポーネント９１４は、ここで記述した機能を提供するであろう。
【００９５】
ユーザエージェント１０、アクセスデバイス１２、および上述したその他のコンポーネントは、上述の動作に関連した命令を実行できる処理コンポーネントを含むことができる。図１２は、ここで開示の１または複数の実施形態の実現に適した処理コンポーネント１０１０を含むシステム１０００の一例を示す。システム１０００は、プロセッサ１０１０（中央処理ユニット（ＣＰＵまたはＤＳＰ）とも呼ばれる）に加え、ネットワーク接続デバイス１０２０、ランダムアクセスメモリ（ＲＡＭ）１０３０、読み出し専用メモリ（ＲＯＭ）１０４０、二次記憶装置１０５０、入出力（Ｉ／Ｏ）デバイス１０６０を備えていてよい。いくつかの実施形態では、ＨＡＲＱプロセスＩＤの最小数の決定を実現するためのプログラムをＲＯＭ１０４０に記憶することができる。いくつかのケースでは、いくつかのこうしたコンポーネントを設けていない、あるいは、相互に、またはここでは示されていない他のコンポーネントと様々に組合せることが可能である。これらのコンポーネントは、単一物理エンティティまたは２個以上の物理エンティティ内に配置することができる。この説明でプロセッサ１０１０によって実行されると記述されているあらゆる動作は、プロセッサ１０１０のみによって、または、プロセッサ１０１０と、図示の、または図示されていない１または複数のコンポーネントとの併用によって実行されるものとする。
【００９６】
プロセッサ１０１０は、命令、コード、コンピュータプログラムを、あるいは、プロセッサがネットワーク接続デバイス１０２０、ＲＡＭ１０３０、ＲＯＭ１０４０、または二次記憶装置１０５０（様々なディスクベースのシステム、例えばハードディスク、フロッピー（登録商標）ディスク、光学ディスクを含むことができる）を介してアクセスできるスクリプトを実行する。図には１つのプロセッサ１０１０しか示されていないが、複数のプロセッサを設けることができる。そのため、１つのプロセッサが複数の命令を実行するように説明しているが、複数の命令を同時に、連続して、あるいは１または複数のプロセッサによって実行することができる。プロセッサ１０１０は、１または複数のＣＰＵチップとして実現できる。
【００９７】
ネットワーク接続デバイス１０２０は、モデム、モデムバンク、イーサネット（登録商標）デバイス、ユニバーサル・シリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、さらに、符号分割多重化アクセス（ＣＤＭＡ）デバイス、移動通信用グローバルシステム（ＧＳＭ（登録商標））無線トランシーバデバイス、マイクロ波アクセスのためのワールドワイド相互運用（ＷｉＭＡＸ）デバイスのような無線トランシーバデバイス、およびネットワーク接続用のその他の周知のデバイス、もしくはそのいずれかの形態であってよい。これらのネットワーク接続デバイス１０２０によって、プロセッサ１０１０は、インターネットや、１または複数の電気通信ネットワークと、あるいは、プロセッサ１０１０との間で情報の送受信を行えるその他のネットワークに通信できるようになる。
【００９８】
ネットワーク接続デバイス１０２０はさらに、無線周波数信号やマイクロ波周波数信号のような電磁波の形態でデータの無線送信および無線受信、もしくはその両方を行える、１または複数のトランシーバコンポーネント１０２５を含んでいてよい。あるいは、データを電気伝導体内またはその表面上、同軸ケーブル内、導波管内、光ファイバのような光学媒体内、またはその他の媒体内に伝播させることができる。トランシーバコンポーネント１０２５は、別個の送信ユニットと受信ユニット、または単一のトランシーバを含んでいてよい。トランシーバ１０２５によって送受信される情報には、プロセッサ１０１０によって処理されたデータや、プロセッサ１０１０によって実行される命令が含まれる。このような情報は、例えばコンピュータデータベースバンド信号または搬送波に組み込んだ信号の形態で、ネットワークから受信され、また、ネットワークに出力される。データは、データの処理や生成、またはデータの送信や受信にとって所望の異なる順序に従って命令される。ベースバンド信号、搬送波に組み込んだ信号、または現在使用されている、あるいは今後開発されるその他のタイプの信号は、伝送媒体と呼ばれ、また、当業者に周知のいくつかの方法に従って生成されうる。
【００９９】
ＲＡＭ１０３０は、揮発性データを記憶するため、あるいは、プロセッサ１０１０によって実行される命令を記憶するために使用されうる。ＲＯＭ１０４０は、通常は二次記憶装置１０５０よりもメモリ容量の小さい非揮発性メモリデバイスである。ＲＯＭ１０４０は命令、あるいは、命令実行中に読み出されるデータを記憶するために使用できる。通常、ＲＡＭ１０３０とＲＯＭ１０４０の両方へのアクセスは、二次記憶装置１０５０へのアクセスよりも高速である。二次記憶装置１０５０は、通常、１または複数のディスクドライブまたはテープドライブを備え、ＲＡＭ１０３０の容量が全ての作業データを保持するのに十分でない場合に、データの非揮発性記憶装置や、オーバフローデータの記憶デバイスとして使用できる。二次記憶装置１０５０は、ＲＡＭ１０３０にロードされたプログラムを、このプログラムを実行するべく選択した際に記憶するためにも使用される。
【０１００】
入出力デバイス１０６０は、液晶ディスプレイ（ＬＣＤ）、タッチ画面ディスプレイ、キーボード、キーパッド、スイッチ、ダイヤル、マウス、トラックボール、音声認識装置、カード読み出し装置、紙テープ読み出し装置、プリンタ、ビデオモニタ、その他の周知の入力デバイスを含む。さらにトランシーバ１０２５は、ネットワーク接続デバイス１０２０のコンポーネントの代わり、またはこれに加えて、入出力デバイス１０６０のコンポーネントになると考えられる。入出力デバイス１０６０の一部または全ては、ディスプレイ７０２および入力７０４のような、先に説明したユーザエージェント１０の図面に示す様々なコンポーネントと実質的に類似していてよい。
【０１０１】
本明細書では、次の第３世代移動体通信システムの標準化プロジェクト（３ＧＰＰ）技術仕様（ＴＳ）を参照によって組み込んでいる：ＴＳ３６．２１２、ＴＳ３６．２１３。
本開示ではいくつかの実施形態を提供したが、開示されたシステムおよび方法は、本開示の趣旨または範囲を逸脱しない限り、その他多くの特定の形態にて具現化できることが理解されるべきである。これらの例は制限的ではなく例証的として考慮されるべきであり、また、その意図はここで示した詳細に限定されるものではない。例えば、様々な要素またはコンポーネントを他のシステムに組合せたり、統合したり、あるいは、特定の特徴を省略したり、実現しないことができる。別例として、ＲＩＶ値がリソースブロック割当フィールドには通常用いない値に設定される図７、図８、実施形態に関して、任意の不使用のＲＩＶ値を使用してもよい。例えば、ＲＩＶ＝２ｎ−１の代わりに、２ｎ−２または２ｎ−３のＲＩＶ値を使用することができる。
【０１０２】
また、ユーザエージェントが半永久的スケジューリングリソースを解放すべきであることを示すために、あらゆるデータ制御情報（ＤＣＩ）フィールドデータのサブセットを使用することができる。さらに上述したように、１つの半永久的スケジューリング解放値を、ユーザエージェントが全ての上りリンク半永久的スケジューリングリソースを解放すべきであると示すために使用し、第２の半永久的スケジューリング解放値を、ユーザエージェントが全ての下りリンク半永久的スケジューリングリソースを解放すべきであると示すために使用し、第３の値を、ユーザエージェントが全ての上りリンクおよび下りリンク半永久的スケジューリングリソースを解放すべきであると示すために使用することができる。
【０１０３】
さらに、特定の値を上の表２に関連して記述したが、その他の値も考慮できることが理解されるべきである。例えば、ＴＰＣ、復調基準信号（ＤＭ−ＲＳ）、ＭＣＳ  データ制御情報（ＤＣＩ）フィールドにオール「１」を要求する代わりに、ＤＣＩ形式０についての半永久的スケジューリング解放に必要な値が、ＴＰＣ、復調基準信号（ＤＭ−ＲＳ）、ＭＣＳフィールド内の「１０」、「１０１」、「１０１０１」をそれぞれ含んでいてよい。
【０１０４】
また、様々な実施形態で別個または別々なものとして説明および例証した技術、システム、サブシステム、方法を、本開示の範囲から逸脱しない限り、他のシステム、モジュール、技術、方法と組合せる、または統合することができる。相互に接続または直接接続、あるいは通信し合うものとして示された、または、説明されたこれ以外のアイテムを、何らかのインターフェース、デバイス、あるいは仲介コンポーネントを介して、電気的または機械的に、または他の方式にて、間接接続または間接通信させることが可能である。変更、代用、改造のその他の例は、当業者によって確かめることができ、また、ここで開示した精神および範囲から逸脱することなく行うことができる。
【０１０５】
本発明の範囲を公に知らせるために、以下を請求する。
【図１】
2014027683.tif 000005
【図２】
2014027683.tif 000006
【図３】
2014027683.tif 000007
【図４】
2014027683.tif 000008
【図５】
2014027683.tif 000009
【図６】
2014027683.tif 000010
【図７】
2014027683.tif 000011
【図８】
2014027683.tif 000012
【図９】
2014027683.tif 000013
【図１０】
2014027683.tif 000014
【図１１】
2014027683.tif 000015
【図１２】
2014027683.tif 000016